(57)【要約】  信号伝送方法及び信号伝送装置が提供される。本方法は、送信予定のデータブロックを送信機によって取得する段階と、送信予定のデータブロックの複数のデータの間に１つ又は複数のパイロットブロックを合意位置に基づいて挿入する段階と、１つ又は複数のパイロットブロックが挿入された送信予定のデータブロックを送信機によって送信する段階とを含む。送信予定のデータブロックの複数のデータの間に１つ又は複数のパイロットブロックを挿入することによって、パイロットオーバヘッドを増加させることなく受信機の位相雑音補償効果を改善することができる。
2019523585.tif 000002
【特許請求の範囲】
【請求項１】
信号伝送方法であって、
送信予定のデータブロックを送信機によって取得する段階であって、前記送信予定のデータブロックは複数のデータを含む、段階と、
前記送信予定のデータブロックの前記複数のデータの間に１つ又は複数のパイロットブロックを合意位置に基づいて前記送信機によって挿入する段階であって、前記パイロットブロックは少なくとも２つの連続したパイロットシンボルを含む、段階と、
前記１つ又は複数のパイロットブロックが挿入された前記送信予定のデータブロックを前記送信機によって送信する段階と
を備える、方法。
【請求項２】
前記合意位置は、前記送信機及び受信機によって事前合意された位置であるか、又は、
前記合意位置は、前記送信予定のデータブロックの長さ、前記パイロットブロックの数、及び前記パイロットブロック内のパイロットシンボルの数を用いて、事前合意された式に従って前記送信機によって計算される、請求項１に記載の方法。
【請求項３】
信号伝送方法であって、
送信機によって送信されたデータブロックを受信機によって受信する段階であって、前記受信されたデータブロックは１つ又は複数のパイロットブロックを含み、前記パイロットブロックは少なくとも２つの連続したパイロットシンボルを含む、段階と、
前記受信されたデータブロック内の前記１つ又は複数のパイロットブロックの位置を前記受信機によって確定し、前記受信されたデータブロック内の前記１つ又は複数のパイロットブロックの前記位置に対応する位相雑音値を推定する段階と、
前記受信されたデータブロック内の前記１つ又は複数のパイロットブロックの前記位置に対応する前記位相雑音値に基づいて、前記受信されたデータブロックの複数のデータに対して位相雑音補償を前記受信機によって行う段階と
を備える、方法。
【請求項４】
前記受信されたデータブロック内の前記１つ又は複数のパイロットブロックの前記位置を前記受信機によって確定する前記段階は、
前記受信されたデータブロック内の前記１つ又は複数のパイロットブロックの前記位置を前記送信機と合意した方式に基づいて前記受信機によって確定する段階か、又は、
前記受信されたデータブロックの長さ、前記パイロットブロックの数、及び前記パイロットブロックに含まれるパイロットシンボルの数を用いて、前記受信されたデータブロック内の前記１つ又は複数のパイロットブロックの前記位置を事前合意された式に従って前記受信機によって計算する段階を含む、請求項３に記載の方法。
【請求項５】
信号伝送方法であって、
パイロットブロック構成情報を送信機によって確定する段階であって、前記パイロットブロック構成情報はパイロットブロック構成方式情報を含む、段階と、
前記パイロットブロック構成方式情報に基づいて、送信予定のデータブロックに１つ又は複数のパイロットブロックを前記送信機によって挿入する段階と、
前記１つ又は複数のパイロットブロックが挿入された前記送信予定のデータブロックを前記送信機によって送信する段階と
を備える、方法。
【請求項６】
前記パイロットブロック構成情報を前記送信機によって確定する前記段階は、
現在の期間に対応する雑音レベル情報を前記送信機によって取得する段階と、
前記雑音レベル情報に基づいて前記パイロットブロック構成情報を前記送信機によって確定する段階と
を含む、請求項５に記載の方法。
【請求項７】
前記雑音レベル情報を前記送信機によって取得する前記段階は、
受信機によって送信された前記雑音レベル情報を前記送信機によって受信する段階、又は、
前記受信機によって送信されたデータブロックを前記送信機によって受信し、前記受信されたデータブロックに対して雑音レベル推定を行い、前記雑音レベル情報を確定する段階と
を含む、請求項６に記載の方法。
【請求項８】
前記雑音レベル情報は加法性白色雑音情報及び乗法性位相雑音情報を含み、
前記雑音レベル情報に基づいて前記パイロットブロック構成情報を前記送信機によって確定する前記段階は、
前記加法性白色雑音情報が前回取得された加法性白色雑音情報より多いか若しくは前記乗法性位相雑音情報が前回取得された乗法性位相雑音情報より少ない場合、前記送信機によって、前記送信予定のデータブロック内の各パイロットブロックに含まれるパイロットシンボルの数を増加させるか若しくは前記パイロットブロックの数を減少させる段階、又は、
前記加法性白色雑音情報が前回取得された加法性白色雑音情報より少ないか若しくは前記乗法性位相雑音情報が前回取得された乗法性位相雑音情報より多い場合、前記送信機によって、前記送信予定のデータブロック内の各パイロットブロックに含まれるパイロットシンボルの数を減少させるか若しくは前記パイロットブロックの数を増加させる段階を含む、請求項６に記載の方法。
【請求項９】
前記雑音レベル情報を前記送信機によって取得する前記段階の前に、
事前合意されたトレーニングシーケンスを前記送信機によって前記受信機に送信する段階をさらに備え、その結果、前記受信機は前記事前合意されたトレーニングシーケンスに基づいて雑音レベル推定を行う、請求項６に記載の方法。
【請求項１０】
前記パイロットブロック構成方式情報は、前記パイロットブロック構成方式の番号、又は前記パイロットブロックの数及び前記パイロットブロックに含まれるパイロットシンボルの数、又は前記パイロットブロックの数のオフセット値及び前記パイロットブロックに含まれるパイロットシンボルの数のオフセット値を含む、請求項５に記載の方法。
【請求項１１】
前記パイロットブロック構成方式情報に基づいて、前記送信予定のデータブロックに前記パイロットブロックを前記送信機によって挿入する前記段階は、
前記送信予定のデータブロックの長さ、前記パイロットブロックの前記数、及び前記パイロットブロック内のパイロットシンボルの前記数を用いて、事前合意された式に従って、前記送信予定のデータブロック内の前記パイロットブロックの位置を前記送信機によって計算する段階か、又は、前記送信予定のデータブロックの長さ、前記パイロットブロックの前記数の前記オフセット値、前記パイロットブロックに含まれるパイロットシンボルの前記数の前記オフセット値、並びに前回受信されたパイロットブロック構成情報内にあるパイロットブロックの数及びパイロットブロックに含まれるパイロットシンボルの数を用いて、事前合意された式に従って前記パイロットブロックの位置を前記送信機によって計算する段階と、
前記パイロットブロックの前記位置に基づいて、前記送信予定のデータブロックに前記１つ又は複数のパイロットブロックを前記送信機によって挿入する段階と
を含む、請求項１０に記載の方法。
【請求項１２】
前記パイロットブロック構成情報を送信機によって確定する前記段階の後に、
前記パイロットブロック構成情報を前記送信機によって前記受信機に送信する段階か、又は、
前記パイロットブロック構成情報に基づいて、事前設定されたシーケンス若しくは変調コンスタレーションダイアグラムに前記パイロットブロックを前記送信機によって設定する段階をさらに備える、請求項５に記載の方法。
【請求項１３】
信号伝送方法であって、
送信機によって送信された第１のデータブロックを受信機によって受信する段階と、
パイロットブロック構成情報を前記受信機によって確定する段階であって、前記パイロットブロック構成情報はパイロットブロック構成方式情報を含む、段階と、
前記パイロットブロック構成方式情報に基づいて、前記第１のデータブロック内の１つ又は複数のパイロットブロックの位置に対応する位相雑音値を前記受信機によって推定する段階と、
前記第１のデータブロック内の前記１つ又は複数のパイロットブロックの前記位置に対応する前記位相雑音値に基づいて、前記第１のデータブロックの複数のデータに対して位相雑音補償を前記受信機によって行う段階と
を備える、方法。
【請求項１４】
前記送信機によって送信された前記第１のデータブロックと前記第１のデータブロック内の前記パイロットブロック構成情報とを前記受信機によって受信する前記段階の前に、
前記送信機によって送信された第２のデータブロックを前記受信機によって受信する段階と、
前記第２のデータブロックに対して復調及び雑音レベル推定を前記受信機によって行い、前記第２のデータブロックの雑音レベル情報を取得する段階と、
前記雑音レベル情報を前記受信機によって前記送信機に送信する段階と
をさらに備える、請求項１３に記載の方法。
【請求項１５】
前記第２のデータブロックに対して前記雑音レベル推定を前記受信機によって行う前記段階は、
前記第２のデータブロックが事前合意されたトレーニングシーケンスである場合、前記受信された第２のデータブロックを用いて前記雑音レベル推定を前記受信機によって行う段階か、又は、
前記第２のデータブロックが未知のデータである場合、軟判定復号又は硬判定復号の後に再構築される送信予定のデータブロックと前記第２のデータブロックとに基づいて、前記第２のデータブロックに対して前記雑音レベル推定を前記受信機によって行う段階を含む、請求項１４に記載の方法。
【請求項１６】
前記パイロットブロック構成方式情報は、前記パイロットブロック構成方式の番号、又は前記パイロットブロックの数及び前記パイロットブロックに含まれるパイロットシンボルの数、又は前記パイロットブロックの数のオフセット値及び前記パイロットブロックに含まれるパイロットシンボルの数のオフセット値を含む、請求項１３に記載の方法。
【請求項１７】
前記パイロットブロック構成方式情報に基づいて、前記第１のデータブロック内の前記１つ又は複数のパイロットブロックの前記位置に対応する前記位相雑音値を前記受信機によって推定する前記段階は、
前記パイロットブロック構成方式情報が前記パイロットブロックの前記数及び前記パイロットブロックに含まれるパイロットシンボルの前記数を含む場合、前記第１のデータブロックの長さ、前記パイロットブロックの前記数、及び前記パイロットブロック内のパイロットシンボルの前記数を用いて、事前合意された式に従って前記第１のデータブロック内の前記パイロットブロックの前記位置を前記受信機によって計算して、前記１つ又は複数のパイロットブロックの前記位置に対応する位相雑音レベルを推定する段階か、又は、
前記パイロットブロック構成方式情報が前記パイロットブロックの前記数の前記オフセット値及び前記パイロットブロックに含まれるパイロットシンボルの前記数の前記オフセット値を含む場合、前記第１のデータブロックの長さ、前記パイロットブロックの前記数の前記オフセット値、前記パイロットブロックに含まれるパイロットシンボルの前記数の前記オフセット値、並びに前回受信されたパイロットブロック構成情報内にあるパイロットブロックの数及びパイロットブロックに含まれるパイロットシンボルの数を用いて、事前合意された式に従って前記第１のデータブロック内の前記パイロットブロックの前記位置を前記受信機によって計算して、前記１つ又は複数のパイロットブロックの前記位置に対応する位相雑音レベルを推定する段階を含む、請求項１６に記載の方法。
【請求項１８】
前記パイロットブロック構成情報を前記受信機によって確定する前記段階は、
前記送信機によって送信された前記パイロットブロック構成情報を前記受信機によって取得する段階か、又は、
前記第１のデータブロック内の事前設定されたシーケンス若しくは変調コンスタレーションダイアグラムに基づいて、前記パイロットブロック構成情報を前記受信機によって確定する段階を含む、請求項１３に記載の方法。
【請求項１９】
信号伝送装置であって、
複数のデータを含む送信予定のデータブロックを取得し、前記送信予定のデータブロックの前記複数のデータの間に１つ又は複数のパイロットブロックを合意位置に基づいて挿入するように構成された処理ユニットであって、前記パイロットブロックは少なくとも２つの連続したパイロットシンボルを含む、処理ユニットと、
前記１つ又は複数のパイロットブロックが前記処理ユニットによって挿入された前記送信予定のデータブロックを送信するように構成された送信ユニットと
を備える、装置。
【請求項２０】
前記合意位置は、前記送信機及び受信機によって事前合意された位置であるか、又は、
前記合意位置は、前記送信予定のデータブロックの長さ、前記パイロットブロックの数、及び前記パイロットブロック内のパイロットシンボルの数を用いて、事前合意された式に従って前記送信機によって計算される、請求項１９に記載の装置。
【請求項２１】
信号伝送装置であって、
送信機によって送信されたデータブロックを受信するように構成された受信ユニットであって、前記受信されたデータブロックは１つ又は複数のパイロットブロックを含み、前記パイロットブロックは少なくとも２つの連続したパイロットシンボルを含む、受信ユニットと、
前記受信ユニットによって受信された前記データブロック内の前記１つ又は複数のパイロットブロックの位置を確定し、前記受信されたデータブロック内の前記１つ又は複数のパイロットブロックの前記位置に対応する位相雑音値を推定し、前記受信されたデータブロック内の前記１つ又は複数のパイロットブロックの前記位置に対応する前記位相雑音値に基づいて、前記受信されたデータブロックの複数のデータに対して位相雑音補償を行うように構成された処理ユニットと
を備える、装置。
【請求項２２】
前記処理ユニットは具体的に、
前記受信されたデータブロック内の前記１つ又は複数のパイロットブロックの前記位置を前記送信機と合意した方式で確定するか、又は、
前記受信されたデータブロックの長さ、前記パイロットブロックの数、及び前記パイロットブロックに含まれるパイロットシンボルの数を用いて、事前合意された式に従って、前記受信されたデータブロック内の前記１つ又は複数のパイロットブロックの前記位置を計算する
ように構成される、請求項２１に記載の装置。
【請求項２３】
信号伝送装置であって、
パイロットブロック構成方式情報を含むパイロットブロック構成情報を確定し、前記パイロットブロック構成方式情報に基づいて、１つ又は複数のパイロットブロックを送信予定のデータブロックに挿入するように構成された処理ユニットと、
前記１つ又は複数のパイロットブロックが前記処理ユニットによって挿入された前記送信予定のデータブロックを送信するように構成された送信ユニットと
を備える、装置。
【請求項２４】
前記処理ユニットは具体的に、
現在の期間に対応する雑音レベル情報を取得し、
前記雑音レベル情報に基づいて前記パイロットブロック構成情報を確定する
ように構成される、請求項２３に記載の装置。
【請求項２５】
受信ユニットをさらに備え、
前記受信ユニットは受信機によって送信された前記雑音レベル情報を受信するように構成されるか、又は、
前記受信ユニットは前記受信機によって送信されたデータブロックを受信するように構成され、前記処理ユニットはさらに、前記受信ユニットによって受信された前記データブロックに対して雑音レベル推定を行い、前記雑音レベル情報を確定するように構成される、請求項２４に記載の装置。
【請求項２６】
前記雑音レベル情報は加法性白色雑音情報及び乗法性位相雑音情報を含み、
前記処理ユニットは具体的に、
前記加法性白色雑音情報が前回取得された加法性白色雑音情報より多いか若しくは前記乗法性位相雑音情報が前回取得された乗法性位相雑音情報より少ない場合、前記送信予定のデータブロック内の各パイロットブロックに含まれるパイロットシンボルの数を増加させるか若しくは前記パイロットブロックの数を減少させる、又は、
前記加法性白色雑音情報が前回取得された加法性白色雑音情報より少ないか若しくは前記乗法性位相雑音情報が前回取得された乗法性位相雑音情報より多い場合、前記送信予定のデータブロック内の各パイロットブロックに含まれるパイロットシンボルの数を減少させるか若しくは前記パイロットブロックの数を増加させるように構成される、請求項２４に記載の装置。
【請求項２７】
前記送信ユニットはさらに、
前記雑音レベル情報が取得される前に、事前合意されたトレーニングシーケンスを前記受信機に送信するように構成され、その結果、前記受信機は事前合意された前記トレーニングシーケンスに基づいて雑音レベル推定を行う、請求項２４に記載の装置。
【請求項２８】
前記パイロットブロック構成方式情報は、前記パイロットブロック構成方式の番号、又は前記パイロットブロックの数及び前記パイロットブロックに含まれるパイロットシンボルの数、又は前記パイロットブロックの数のオフセット値及び前記パイロットブロックに含まれるパイロットシンボルの数のオフセット値を含む、請求項２３に記載の装置。
【請求項２９】
前記処理ユニットは具体的に、
前記送信予定のデータブロックの長さ、前記パイロットブロックの前記数、及び前記パイロットブロック内のパイロットシンボルの前記数を用いて、事前合意された式に従って、前記送信予定のデータブロック内の前記パイロットブロックの位置を計算するか、又は、前記送信予定のデータブロックの長さ、前記パイロットブロックの前記数の前記オフセット値、前記パイロットブロックに含まれるパイロットシンボルの前記数の前記オフセット値、並びに前回受信されたパイロットブロック構成情報内にあるパイロットブロックの数及びパイロットブロックに含まれるパイロットシンボルの数を用いて、事前合意された式に従って前記パイロットブロックの位置を計算し、
前記パイロットブロックの前記位置に基づいて前記１つ又は複数のパイロットブロックを前記送信予定のデータブロックに挿入する
ように構成される、請求項２８に記載の装置。
【請求項３０】
前記パイロットブロック構成情報が確定された後に、
前記送信ユニットはさらに、前記パイロットブロック構成情報を前記受信機に送信するように構成されるか、又は、
前記処理ユニットはさらに、前記パイロットブロック構成情報に基づいて、事前設定されたシーケンス若しくは変調コンスタレーションダイアグラムに前記パイロットブロックを設定するように構成される、請求項２３に記載の装置。
【請求項３１】
信号伝送装置であって、
送信機によって送信された第１のデータブロックを受信するように構成された受信ユニットと、
パイロットブロック構成方式情報を含むパイロットブロック構成情報を確定し、前記パイロットブロック構成方式情報に基づいて、前記第１のデータブロック内の１つ又は複数のパイロットブロックの位置に対応する位相雑音値を推定し、前記第１のデータブロック内の前記１つ又は複数のパイロットブロックの前記位置に対応する前記位相雑音値に基づいて、前記第１のデータブロックの複数のデータに対して位相雑音補償を行うように構成された処理ユニットと
を備える、装置。
【請求項３２】
送信ユニットをさらに備え、
前記送信機によって送信された前記第１のデータブロックと前記第１のデータブロック内の前記パイロットブロック構成情報とを受信する前に、前記受信ユニットはさらに、前記送信機によって送信された第２のデータブロックを受信するように構成され、
前記処理ユニットはさらに、前記第２のデータブロックに対して復調及び雑音レベル推定を行い、前記第２のデータブロックの雑音レベル情報を取得するように構成され、
前記送信ユニットは前記雑音レベル情報を前記送信機に送信するように構成される、請求項３１に記載の装置。
【請求項３３】
前記処理ユニットは具体的に、
前記第２のデータブロックが事前合意されたトレーニングシーケンスである場合、前記受信された第２のデータブロックを用いて前記雑音レベル推定を行うか、又は、
前記第２のデータブロックが未知のデータである場合、軟判定復号又は硬判定復号の後に再構築される送信予定のデータブロックと前記第２のデータブロックとに基づいて、前記第２のデータブロックに対して前記雑音レベル推定を行う
ように構成される、請求項３２に記載の装置。
【請求項３４】
前記パイロットブロック構成方式情報は、前記パイロットブロック構成方式の番号、又は前記パイロットブロックの数及び前記パイロットブロックに含まれるパイロットシンボルの数、又は前記パイロットブロックの数のオフセット値及び前記パイロットブロックに含まれるパイロットシンボルの数のオフセット値を含む、請求項３１に記載の装置。
【請求項３５】
前記処理ユニットは具体的に、
前記パイロットブロック構成方式情報が前記パイロットブロックの前記数と前記パイロットブロックに含まれるパイロットシンボルの前記数とを含む場合、前記第１のデータブロックの長さ、前記パイロットブロックの前記数、及び前記パイロットブロック内のパイロットシンボルの前記数を用いて、事前合意された式に従って前記第１のデータブロック内の前記パイロットブロックの前記位置を計算し、前記１つ又は複数のパイロットブロックの前記位置に対応する位相雑音レベルを推定するか、又は、
前記パイロットブロック構成方式情報が前記パイロットブロックの前記数の前記オフセット値と前記パイロットブロックに含まれるパイロットシンボルの前記数の前記オフセット値とを含む場合、前記第１のデータブロックの長さ、前記パイロットブロックの前記数の前記オフセット値、前記パイロットブロックに含まれるパイロットシンボルの前記数の前記オフセット値、並びに前回受信されたパイロットブロック構成情報内にあるパイロットブロックの数及びパイロットブロックに含まれるパイロットシンボルの数を用いて、事前合意された式に従って前記第１のデータブロック内の前記パイロットブロックの前記位置を計算し、前記１つ又は複数のパイロットブロックの前記位置に対応する位相雑音レベルを推定する
ように構成される、請求項３４に記載の装置。
【請求項３６】
前記処理ユニットは具体的に、
前記送信機によって送信された前記パイロットブロック構成情報を取得するか、又は、
前記第１のデータブロック内の事前設定されたシーケンス若しくは変調コンスタレーションダイアグラムに基づいて、前記パイロットブロック構成情報を確定する
ように構成される、請求項３１に記載の装置。
【請求項３７】
送受信機とプロセッサとを備える信号伝送装置であって、
前記送受信機は送信予定のデータブロックを取得するように構成され、前記送信予定のデータブロックは複数のデータを含み、
前記プロセッサは、前記送受信機によって取得された前記送信予定のデータブロックの前記複数のデータの間に１つ又は複数のパイロットブロックを合意位置に基づいて挿入するように構成され、前記パイロットブロックは少なくとも２つの連続したパイロットシンボルを含み、
前記送受信機はさらに、前記１つ又は複数のパイロットブロックが挿入された前記送信予定のデータブロックを送信するように構成される、装置。
【請求項３８】
前記合意位置は、送信機及び受信機によって事前合意された位置であるか、又は、
前記合意位置は、前記送信予定のデータブロックの長さ、前記パイロットブロックの数、及び前記パイロットブロック内のパイロットシンボルの数を用いて、事前合意された式に従って送信機によって計算される、請求項３７に記載の装置。
【請求項３９】
送受信機とプロセッサとを備える信号伝送装置であって、
前記送受信機は送信機によって送信されたデータブロックを受信するように構成され、前記受信されたデータブロックは１つ又は複数のパイロットブロックを含み、前記パイロットブロックは少なくとも２つの連続したパイロットシンボルを含み、
前記プロセッサは、前記受信ユニットによって受信された前記データブロック内の前記１つ又は複数のパイロットブロックの位置を確定し、前記受信されたデータブロック内の前記１つ又は複数のパイロットブロックの前記位置に対応する位相雑音値を推定し、前記受信されたデータブロック内の前記１つ又は複数のパイロットブロックの前記位置に対応する前記位相雑音値に基づいて、前記受信されたデータブロックの複数のデータに対して位相雑音補償を行うように構成される、装置。
【請求項４０】
前記プロセッサは具体的に、
前記受信されたデータブロック内の前記１つ又は複数のパイロットブロックの前記位置を前記送信機と合意した方式で確定するか、又は、
前記受信されたデータブロックの長さ、前記パイロットブロックの数、及び前記パイロットブロックに含まれるパイロットシンボルの数を用いて、事前合意された式に従って、前記受信されたデータブロック内の前記１つ又は複数のパイロットブロックの前記位置を計算する
ように構成される、請求項３９に記載の装置。
【請求項４１】
送受信機とプロセッサとを備える信号伝送装置であって、
前記プロセッサは、パイロットブロック構成方式情報を含むパイロットブロック構成情報を確定し、前記パイロットブロック構成方式情報に基づいて、１つ又は複数のパイロットブロックを送信予定のデータブロックに挿入するように構成され、
前記送受信機は、前記１つ又は複数のパイロットブロックが挿入された前記送信予定のデータブロックを送信するように構成される、装置。
【請求項４２】
前記プロセッサは具体的に、
前記送受信機を制御して現在の期間に対応する雑音レベル情報を取得し、
前記雑音レベル情報に基づいて前記パイロットブロック構成情報を確定する
ように構成される、請求項４１に記載の装置。
【請求項４３】
前記プロセッサはさらに、
前記送受信機を制御して、受信機によって送信された前記雑音レベル情報を受信するか、又は、
前記送受信機を制御して前記受信機によって送信されたデータブロックを受信し、前記送受信機によって受信された前記データブロックに対して雑音レベル推定を行い、前記雑音レベル情報を確定する
ように構成される、請求項４２に記載の装置。
【請求項４４】
前記雑音レベル情報は加法性白色雑音情報及び乗法性位相雑音情報を含み、
前記プロセッサは具体的に、
前記加法性白色雑音情報が前回取得された加法性白色雑音情報より多いか若しくは前記乗法性位相雑音情報が前回取得された乗法性位相雑音情報より少ない場合、前記送信予定のデータブロック内の各パイロットブロックに含まれるパイロットシンボルの数を増加させるか若しくは前記パイロットブロックの数を減少させる、又は、
前記加法性白色雑音情報が前回取得された加法性白色雑音情報より少ないか若しくは前記乗法性位相雑音情報が前回取得された乗法性位相雑音情報より多い場合、前記送信予定のデータブロック内の各パイロットブロックに含まれるパイロットシンボルの数を減少させるか若しくは前記パイロットブロックの数を増加させるように構成される、請求項４２に記載の装置。
【請求項４５】
前記送受信機はさらに、
前記雑音レベル情報が取得される前に、事前合意されたトレーニングシーケンスを前記受信機に送信するように構成され、その結果、前記受信機は事前合意された前記トレーニングシーケンスに基づいて雑音レベル推定を行う、請求項４２に記載の装置。
【請求項４６】
前記パイロットブロック構成方式情報は、前記パイロットブロック構成方式の番号、又は前記パイロットブロックの数及び前記パイロットブロックに含まれるパイロットシンボルの数、又は前記パイロットブロックの数のオフセット値及び前記パイロットブロックに含まれるパイロットシンボルの数のオフセット値を含む、請求項４１に記載の装置。
【請求項４７】
前記プロセッサは具体的に、
前記送信予定のデータブロックの長さ、前記パイロットブロックの前記数、及び前記パイロットブロック内のパイロットシンボルの前記数を用いて、事前合意された式に従って、前記送信予定のデータブロック内の前記パイロットブロックの位置を計算するか、又は、前記送信予定のデータブロックの長さ、前記パイロットブロックの前記数の前記オフセット値、前記パイロットブロックに含まれるパイロットシンボルの前記数の前記オフセット値、並びに前回受信されたパイロットブロック構成情報内にあるパイロットブロックの数及びパイロットブロックに含まれるパイロットシンボルの数を用いて、事前合意された式に従って前記パイロットブロックの位置を計算し、
前記パイロットブロックの前記位置に基づいて前記１つ又は複数のパイロットブロックを前記送信予定のデータブロックに挿入する
ように構成される、請求項４６に記載の装置。
【請求項４８】
前記プロセッサはさらに、
前記パイロットブロック構成情報を確定した後に、前記送受信機を制御して前記パイロットブロック構成情報を前記受信機に送信するか、又は、
前記パイロットブロック構成情報に基づいて、事前設定されたシーケンス若しくは変調コンスタレーションダイアグラムに前記パイロットブロックを設定する
ように構成される、請求項４１に記載の装置。
【請求項４９】
送受信機とプロセッサとを備える信号伝送装置であって、
前記送受信機は、送信機によって送信された第１のデータブロックを受信するように構成され、
前記プロセッサは、パイロットブロック構成方式情報を含むパイロットブロック構成情報を確定し、前記パイロットブロック構成方式情報に基づいて、前記第１のデータブロック内の１つ又は複数のパイロットブロックの位置に対応する位相雑音値を推定し、前記第１のデータブロック内の前記１つ又は複数のパイロットブロックの前記位置に対応する前記位相雑音値に基づいて、前記第１のデータブロックの複数のデータに対して位相雑音補償を行うように構成される、装置。
【請求項５０】
前記プロセッサはさらに、
前記送受信機を制御して、前記送信機によって送信された前記第１のデータブロックと前記第１のデータブロック内の前記パイロットブロック構成情報とを受信する前に、前記送信機によって送信された第２のデータブロックを受信し、
前記第２のデータブロックに対して復調及び雑音レベル推定を行い、前記第２のデータブロックの雑音レベル情報を取得し、
前記送受信機を制御して前記雑音レベル情報を前記送信機に送信する
ように構成される、請求項４９に記載の装置。
【請求項５１】
前記プロセッサは具体的に、
前記第２のデータブロックが事前合意されたトレーニングシーケンスである場合、前記受信された第２のデータブロックを用いて前記雑音レベル推定を行うか、又は、
前記第２のデータブロックが未知のデータである場合、軟判定復号又は硬判定復号の後に再構築される送信予定のデータブロックと前記第２のデータブロックとに基づいて、前記第２のデータブロックに対して前記雑音レベル推定を行う
ように構成される、請求項５０に記載の装置。
【請求項５２】
前記パイロットブロック構成方式情報は、前記パイロットブロック構成方式の番号、又は前記パイロットブロックの数及び前記パイロットブロックに含まれるパイロットシンボルの数、又は前記パイロットブロックの数のオフセット値及び前記パイロットブロックに含まれるパイロットシンボルの数のオフセット値を含む、請求項４９に記載の装置。
【請求項５３】
前記プロセッサは具体的に、
前記パイロットブロック構成方式情報が前記パイロットブロックの前記数と前記パイロットブロックに含まれるパイロットシンボルの前記数とを含む場合、前記第１のデータブロックの長さ、前記パイロットブロックの前記数、及び前記パイロットブロック内のパイロットシンボルの前記数を用いて、事前合意された式に従って前記第１のデータブロック内の前記パイロットブロックの前記位置を計算し、前記１つ又は複数のパイロットブロックの前記位置に対応する位相雑音レベルを推定するか、又は、
前記パイロットブロック構成方式情報が前記パイロットブロックの前記数の前記オフセット値と前記パイロットブロックに含まれるパイロットシンボルの前記数の前記オフセット値とを含む場合、前記第１のデータブロックの長さ、前記パイロットブロックの前記数の前記オフセット値、前記パイロットブロックに含まれるパイロットシンボルの前記数の前記オフセット値、並びに前回受信されたパイロットブロック構成情報内にあるパイロットブロックの数及びパイロットブロックに含まれるパイロットシンボルの数を用いて、事前合意された式に従って前記第１のデータブロック内の前記パイロットブロックの前記位置を計算し、前記１つ又は複数のパイロットブロックの前記位置に対応する位相雑音レベルを推定する
ように構成される、請求項５２に記載の装置。
【請求項５４】
前記プロセッサは具体的に、
前記送受信機を制御して、前記送信機によって送信された前記パイロットブロック構成情報を取得するか、又は、
前記第１のデータブロック内の事前設定されたシーケンス若しくは変調コンスタレーションダイアグラムに基づいて、前記パイロットブロック構成情報を確定する
ように構成される、請求項４９に記載の装置。
【発明の詳細な説明】
【技術分野】
【０００１】
本出願は、２０１６年６月２９日に中華人民共和国の国家知識産権局に出願された「信号伝送方法及び信号伝送装置（ＳＩＧＮＡＬ  ＴＲＡＮＳＭＩＳＳＩＯＮ  ＭＥＴＨＯＤ  ＡＮＤ  ＡＰＰＡＲＡＴＵＳ）」と題する中国特許出願第２０１６１０４９７１００．９号に基づく優先権を主張し、当該中国特許出願はその全体が参照により本明細書に組み込まれる。
【０００２】
本発明の実施形態は、通信技術の分野に関し、特に、信号伝送方法及び信号伝送装置に関する。
【背景技術】
【０００３】
ここ数年、より高い帯域幅を用いて伝送速度をさらに増加させるために、無線通信システムがより高い周波数帯域を利用し始めている。６ＧＨｚから１００ＧＨｚの周波数帯域をどのように効果的に用いるかが、現在の研究では一般的である。使用周波数がより高くなるにつれて、無線周波数デバイスの非理想特性が悪化している。特に、送信側及び受信側に用いられる発振器がより不安定になり、送信信号にランダムな位相回転を生じさせる。そのような位相回転は、位相雑音（ｐｈａｓｅ  ｎｏｉｓｅ）と呼ばれる。位相雑音の存在は、受信したコンスタレーションポイントのエイリアシングの原因になり、無線通信システムの性能をかなり減少させる。したがって、位相雑音は高周波通信において主要な障害の１つである。
【０００４】
位相雑音の振幅は、無線通信システムの使用周波数範囲、用いられるデバイスの製造手法、さらには温度などを含む使用環境条件に密接に関連している。位相雑音がより少ないデバイスは、より高いハードウェアコストを必要とする。無線通信システムの性能を保証するために、ロバストな位相雑音抑制機構が、使用周波数、関連技術レベル、及び使用環境に基づいて設計される必要がある。位相雑音は、シミュレーションデバイスの特殊な性質に起因して特定の統計的特性を有する。したがって、適切な信号伝送方式及び処理アルゴリズムが、これらの統計的特性に基づいて、位相雑音の影響を減少させるように設計され得る。
【０００５】
前述の問題を解決するために、先行技術では、パイロットとして単一の既知のシンボルが送信予定のデータに固定間隔で挿入される。図１に示すように、パイロットシンボルの間に有効データがあり、先頭と末尾にあるユニークワード（Ｕｎｉｑｕｅ  ｗｏｒｄ、ＵＷ）が、受信機において周波数領域均一化を容易にするために挿入される既知のシーケンスである。受信機は、これらのパイロットを用いて各パイロットの位置での位相雑音を推定し、また異なる方法を用いて隣接したパイロット間の有効データの位置での位相雑音を推定して補償を行い、その結果、システムのパケット誤り率を減少させる。
【０００６】
しかしながら、通信システムには通常、熱雑音が存在する。熱雑音は通常、ゼロ平均白色ガウス複素変数にモデル化され、送信予定の複素信号に加算的に加えられる。したがって、この熱雑音は加法性白色雑音とも呼ばれる。図２の左側の図に示すように、この加法性白色雑音によってコンスタレーションポイントが実軸及び虚軸に対して均等に拡散することになり、拡散コンスタレーションポイントが円形状に分布している。
【０００７】
発振器の不安定性によって生じる位相雑音は、乗法性雑音である。図２の右側の図に示すように、位相雑音はコンスタレーションポイントの回転を生じさせる。加法性白色雑音及び乗法性位相雑音の複合効果を受けて、受信した拡散コンスタレーションポイントが楕円形状に分布している。位相雑音が原因でコンスタレーションポイントが重複し、それによって受信機が復号を正しく実行できないことになり、通信システムの性能が大幅に低下することが、図２から分かる。
【０００８】
加法性白色雑音もコンスタレーションポイントの位相回転を生じさせることに留意されたい。信号対雑音比（ｓｉｇｎａｌ−ｔｏ−ｎｏｉｓｅ  ｒａｔｉｏ、ＳＮＲ）が比較的低い場合（伝統的に、ここでの雑音は加法性白色雑音である）、加法性白色雑音が比較的大きい位相回転を生じさせる。この場合には、先行技術における単一のパイロットシンボルを用いて取得される推定位相雑音値が、白色雑音の影響に起因して不正確になり、したがって、その推定値に基づいて予測される、有効データの位置での位相雑音には比較的大きな誤差が含まれることが予期され得る。
【発明の概要】
【０００９】
本発明の実施形態が、パイロットオーバヘッドを増加させることなく受信機の位相雑音補償効果を改善するために、信号伝送方法及び信号伝送装置を提供する。
【００１０】
第１の態様によれば、信号伝送方法は、送信予定のデータブロックを送信機によって取得する段階であって、送信予定のデータブロックは複数のデータを含む、段階と、送信予定のデータブロックの複数のデータの間に１つ又は複数のパイロットブロックを合意位置に基づいて送信機によって挿入する段階であって、パイロットブロックは少なくとも２つの連続したパイロットシンボルを含む、段階と、１つ又は複数のパイロットブロックが挿入された送信予定のデータブロックを送信機によって送信する段階とを含む。
【００１１】
送信予定のデータブロックの複数のデータの間に１つ又は複数のパイロットブロックを挿入することによって、パイロットオーバヘッドを増加させることなく受信機の位相雑音補償効果を改善することができる。
【００１２】
第１の態様に関連して、第１の態様の第１の実行可能な実装例では、合意位置は送信機及び受信機によって事前合意された位置であるか、又は、合意位置は、送信予定のデータブロックの長さ、パイロットブロックの数、及びパイロットブロック内のパイロットシンボルの数を用いて、事前合意された式に従って送信機により計算される。
【００１３】
第２の態様によれば、信号伝送方法は、送信機によって送信されたデータブロックを受信機によって受信する段階であって、受信されたデータブロックは１つ又は複数のパイロットブロックを含み、パイロットブロックは少なくとも２つの連続したパイロットシンボルを含む、段階と、受信されたデータブロック内の１つ又は複数のパイロットブロックの位置を受信機によって確定し、受信されたデータブロック内の１つ又は複数のパイロットブロックの位置に対応する位相雑音値を推定する段階と、受信されたデータブロック内の１つ又は複数のパイロットブロックの位置に対応する位相雑音値に基づいて、受信されたデータブロックの複数のデータに対して位相雑音補償を受信機によって行う段階とを含む。
【００１４】
複数のパイロットシンボルを含むパイロットブロックを用いることで、位相雑音推定精度を改善し、且つパイロットオーバヘッドを増加させずに受信機の位相雑音補償効果を改善することができる。
【００１５】
第２の態様に関連して、第２の態様の第１の実行可能な実装例では、受信されたデータブロック内の１つ又は複数のパイロットブロックの位置を受信機によって確定する段階は、受信されたデータブロック内の１つ又は複数のパイロットブロックの位置を送信機と合意した方式で受信機によって確定する段階か、又は、受信されたデータブロックの長さ、パイロットブロックの数、及びパイロットブロックに含まれるパイロットシンボルの数を用いて、受信されたデータブロック内の１つ又は複数のパイロットブロックの位置を事前合意された式に従って受信機によって計算する段階を含む。
【００１６】
第２の態様に関連して、第２の態様の第２の実行可能な実装例では、受信されたデータブロック内の１つ又は複数のパイロットブロックの位置に対応する位相雑音値に基づいて、受信されたデータブロックの複数のデータに対して位相雑音補償を受信機によって行う段階は、補間アルゴリズムを用い、且つ受信されたデータブロック内の１つ又は複数のパイロットブロックの位置に対応する位相雑音値に基づいて、受信されたデータブロックの複数のデータの位置に対応する位相雑音値を受信機によって推定する段階と、受信されたデータブロックの複数のデータの位置に対応する推定位相雑音値に基づいて、受信されたデータブロックの複数のデータに対して位相雑音補償を受信機によって行う段階とを含む。
【００１７】
第２の態様に関連して、第２の態様の第３の実行可能な実装例では、受信されたデータブロック内の１つ又は複数のパイロットブロックの位置に対応する位相雑音値を受信機によって推定する段階は、加重平均化アルゴリズムを用いて、受信されたデータブロック内の１つ又は複数のパイロットブロックの位置に対応する位相雑音値を受信機によって推定する段階を含む。
【００１８】
第３の態様によれば、信号伝送方法は、パイロットブロック構成情報を送信機によって確定する段階であって、パイロットブロック構成情報はパイロットブロック構成方式情報を含む、段階と、パイロットブロック構成方式情報に基づいて、送信予定のデータブロックに１つ又は複数のパイロットブロックを送信機によって挿入する段階と、１つ又は複数のパイロットブロックが挿入された送信予定のデータブロックを送信機によって送信する段階とを含む。
【００１９】
１つ又は複数のパイロットブロックは、確定されたパイロットブロック構成情報に基づいて、送信予定のデータブロックに挿入される。これにより、データブロック内のパイロットブロックのサイズ及びデータブロック内のパイロットブロックの数の動的な調整が実現でき、変化する位相雑音レベルに適応して、位相雑音抑制効果の低下又はパイロットリソースの無駄を防ぐことができる。これで、非理想無線周波数要素に対処するための高周波通信システムに追加的な手段を提供することができ、その結果、リンク安定性を改善して、システムスループットの増加に役立てることができる。
【００２０】
第３の態様に関連して、第３の態様の第１の実行可能な実装例では、パイロットブロック構成情報を送信機によって確定する段階は、現在の期間に対応する雑音レベル情報を送信機によって取得する段階と、雑音レベル情報に基づいてパイロットブロック構成情報を送信機によって確定する段階とを含む。
【００２１】
第３の態様又は第３の態様の第１の実行可能な実装例に関連して、第３の態様の第２の実行可能な実装例では、雑音レベル情報を送信機によって取得する段階は、受信機によって送信された雑音レベル情報を送信機によって受信する段階、又は、受信機によって送信されたデータブロックを送信機によって受信し、受信されたデータブロックに対して雑音レベル推定を行い、雑音レベル情報を確定する段階とを含む。
【００２２】
第３の態様又は第３の態様の第１の実行可能な実装例に関連して、第３の態様の第３の実行可能な実装例では、雑音レベル情報は加法性白色雑音情報及び乗法性位相雑音情報を含み、雑音レベル情報に基づいてパイロットブロック構成情報を送信機によって確定する段階は、加法性白色雑音情報が前回取得された加法性白色雑音情報より多いか若しくは乗法性位相雑音情報が前回取得された乗法性位相雑音情報より少ない場合、送信機によって、送信予定のデータブロック内の各パイロットブロックに含まれるパイロットシンボルの数を増加させるか若しくはパイロットブロックの数を減少させる段階、又は、加法性白色雑音情報が前回取得された加法性白色雑音情報より少ないか若しくは乗法性位相雑音情報が前回取得された乗法性位相雑音情報より多い場合、送信機によって、送信予定のデータブロック内の各パイロットブロックに含まれるパイロットシンボルの数を減少させるか若しくはパイロットブロックの数を増加させる段階を含む。
【００２３】
第３の態様又は第３の態様の第１の実行可能な実装例に関連して、第３の態様の第４の実行可能な実装例では、雑音レベル情報を送信機によって取得する段階の前に、本方法はさらに、事前合意されたトレーニングシーケンスを送信機によって受信機に送信する段階を含み、その結果、受信機は、事前合意されたトレーニングシーケンスに基づいて雑音レベル推定を行う。
【００２４】
第３の態様に関連して、第３の態様の第５の実行可能な実装例では、パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含む。
【００２５】
第３の態様又は第３の態様の第５の実行可能な実装例に関連して、第３の態様の第６の実行可能な実装例では、パイロットブロック構成方式情報に基づいて、送信予定のデータブロックにパイロットブロックを送信機によって挿入する段階は、送信予定のデータブロックの長さ、パイロットブロックの数、及びパイロットブロック内のパイロットシンボルの数を用いて、事前合意された式に従って、送信予定のデータブロック内のパイロットブロックの位置を送信機によって計算する段階か、又は、送信予定のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従ってパイロットブロックの位置を送信機によって計算する段階と、パイロットブロックの位置に基づいて、送信予定のデータブロックに１つ又は複数のパイロットブロックを送信機によって挿入する段階とを含む。
【００２６】
第３の態様に関連して、第３の態様の第７の実行可能な実装例では、パイロットブロック構成情報を送信機によって確定する段階の後に、本方法はさらに、パイロットブロック構成情報を送信機によって受信機に送信する段階か、又はパイロットブロック構成情報に基づいて、事前設定されたシーケンス若しくは変調コンスタレーションダイアグラムにパイロットブロックを送信機によって設定する段階を含む。
【００２７】
第４の態様によれば、信号伝送方法は、送信機によって送信された第１のデータブロックを受信機によって受信する段階と、パイロットブロック構成情報を受信機によって確定する段階であって、パイロットブロック構成情報はパイロットブロック構成方式情報を含む、段階と、パイロットブロック構成方式情報に基づいて、第１のデータブロック内の１つ又は複数のパイロットブロックの位置に対応する位相雑音値を受信機によって推定する段階と、第１のデータブロック内の１つ又は複数のパイロットブロックの位置に対応する位相雑音値に基づいて、第１のデータブロックの複数のデータに対して位相雑音補償を受信機によって行う段階とを含む。
【００２８】
第１のデータブロック内の１つ又は複数のパイロットブロックの位置に対応する位相雑音値は、変化する位相雑音レベルに適応して位相雑音抑制効果の低下又はパイロットリソースの無駄を防ぐために、確定されたパイロットブロック構成情報に基づいて推定される。これで、非理想無線周波数要素に対処するための高周波通信システムに追加的な手段を提供することができ、その結果、リンク安定性を改善して、システムスループットの増加に役立てることができる。
【００２９】
第４の態様に関連して、第４の態様の第１の実行可能な実装例では、送信機によって送信された第１のデータブロックと第１のデータブロック内のパイロットブロック構成情報とを受信機によって受信する段階の前に、本方法はさらに、送信機によって送信された第２のデータブロックを受信機によって受信する段階と、第２のデータブロックに対して復調及び雑音レベル推定を受信機によって行い、第２のデータブロックの雑音レベル情報を取得する段階と、雑音レベル情報を受信機によって送信機に送信する段階とを含む。
【００３０】
第４の態様又は第４の態様の第１の実行可能な実装例に関連して、第４の態様の第２の実行可能な実装例では、第２のデータブロックに対して雑音レベル推定を受信機によって行う段階は、第２のデータブロックが事前合意されたトレーニングシーケンスである場合、受信された第２のデータブロックを用いて雑音レベル推定を受信機によって行う段階か、又は、第２のデータブロックが未知のデータである場合、軟判定復号又は硬判定復号の後に再構築される送信予定のデータブロックと第２のデータブロックとに基づいて、第２のデータブロックに対して雑音レベル推定を受信機によって行う段階を含む。
【００３１】
第４の態様に関連して、第４の態様の第３の実行可能な実装例では、パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含む。
【００３２】
第４の態様又は第４の態様の第３の実行可能な実装例に関連して、第４の態様の第４の実行可能な実装例では、パイロットブロック構成方式情報に基づいて、第１のデータブロック内の１つ又は複数のパイロットブロックの位置に対応する位相雑音値を受信機によって推定する段階は、パイロットブロック構成方式情報がパイロットブロックの数及びパイロットブロックに含まれるパイロットシンボルの数を含む場合、第１のデータブロックの長さ、パイロットブロックの数、及びパイロットブロック内のパイロットシンボルの数を用いて、事前合意された式に従って第１のデータブロック内のパイロットブロックの位置を受信機によって計算して、１つ又は複数のパイロットブロックの位置に対応する位相雑音レベルを推定する段階か、又は、パイロットブロック構成方式情報がパイロットブロックの数のオフセット値及びパイロットブロックに含まれるパイロットシンボルの数のオフセット値を含む場合、第１のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従って第１のデータブロック内のパイロットブロックの位置を受信機によって計算して、１つ又は複数のパイロットブロックの位置に対応する位相雑音レベルを推定する段階を含む。
【００３３】
第４の態様に関連して、第４の態様の第５の実行可能な実装例では、パイロットブロック構成情報を受信機によって確定する段階は、送信機によって送信されたパイロットブロック構成情報を受信機によって取得する段階か、又は第１のデータブロック内の事前設定されたシーケンス若しくは変調コンスタレーションダイアグラムに基づいて、パイロットブロック構成情報を受信機によって確定する段階を含む。
【００３４】
第５の態様によれば、信号伝送装置は、複数のデータを含む送信予定のデータブロックを取得し、送信予定のデータブロックの複数のデータの間に１つ又は複数のパイロットブロックを合意位置に基づいて挿入するように構成された処理ユニットであって、パイロットブロックは少なくとも２つの連続したパイロットシンボルを含む、処理ユニットと、１つ又は複数のパイロットブロックが処理ユニットによって挿入された送信予定のデータブロックを送信するように構成された送信ユニットとを含む。
【００３５】
送信予定のデータブロックの複数のデータの間に１つ又は複数のパイロットブロックを挿入することによって、パイロットオーバヘッドを増加させることなく受信機の位相雑音補償効果を改善することができる。
【００３６】
第５の態様に関連して、第５の態様の第１の実行可能な実装例では、合意位置は、送信機及び受信機によって事前合意された位置であるか、又は、合意位置は、送信予定のデータブロックの長さ、パイロットブロックの数、及びパイロットブロック内のパイロットシンボルの数を用いて、事前合意された式に従って送信機により計算される。
【００３７】
第６の態様によれば、信号伝送装置は、送信機によって送信されたデータブロックを受信するように構成された受信ユニットであって、受信されたデータブロックは１つ又は複数のパイロットブロックを含み、パイロットブロックは少なくとも２つの連続したパイロットシンボルを含む、受信ユニットと、受信ユニットによって受信されたデータブロック内の１つ又は複数のパイロットブロックの位置を確定し、受信されたデータブロック内の１つ又は複数のパイロットブロックの位置に対応する位相雑音値を推定し、受信されたデータブロック内の１つ又は複数のパイロットブロックの位置に対応する位相雑音値に基づいて、受信されたデータブロックの複数のデータに対して位相雑音補償を行うように構成された処理ユニットとを含む。
【００３８】
複数のパイロットシンボルを含むパイロットブロックを用いることで、位相雑音推定精度を改善し、且つパイロットオーバヘッドを増加させずに受信機の位相雑音補償効果を改善することができる。
【００３９】
第６の態様に関連して、第６の態様の第１の実行可能な実装例では、処理ユニットは具体的に、受信されたデータブロック内の１つ又は複数のパイロットブロックの位置を送信機と合意した方式で確定するか、又は、受信されたデータブロックの長さ、パイロットブロックの数、及びパイロットブロックに含まれるパイロットシンボルの数を用いて、事前合意された式に従って、受信されたデータブロック内の１つ又は複数のパイロットブロックの位置を計算するように構成される。
【００４０】
第６の態様に関連して、第６の態様の第２の実行可能な実装例では、処理ユニットは具体的に、補間アルゴリズムを用いて、且つ受信されたデータブロック内の１つ又は複数のパイロットブロックの位置に対応する位相雑音値に基づいて、受信されたデータブロックの複数のデータの位置に対応する位相雑音値を推定し、受信されたデータブロックの複数のデータの位置に対応する推定位相雑音値に基づいて、受信されたデータブロックの複数のデータに対して位相雑音補償を行うように構成される。
【００４１】
第６の態様に関連して、第６の態様の第３の実行可能な実装例では、処理ユニットは具体的に、加重平均化アルゴリズムを用いて、受信されたデータブロック内の１つ又は複数のパイロットブロックの位置に対応する位相雑音値を推定するように構成される。
【００４２】
第７の態様によれば、信号伝送装置は、パイロットブロック構成方式情報を含むパイロットブロック構成情報を確定し、パイロットブロック構成方式情報に基づいて、１つ又は複数のパイロットブロックを送信予定のデータブロックに挿入するように構成された処理ユニットと、１つ又は複数のパイロットブロックが処理ユニットによって挿入された送信予定のデータブロックを送信するように構成された送信ユニットとを含む。
【００４３】
１つ又は複数のパイロットブロックは、確定されたパイロットブロック構成情報に基づいて、送信予定のデータブロックに挿入される。これにより、データブロック内のパイロットブロックのサイズ及びデータブロック内のパイロットブロックの数の動的な調整が実現でき、変化する位相雑音レベルに適応して、位相雑音抑制効果の低下又はパイロットリソースの無駄を防ぐことができる。これで、非理想無線周波数要素に対処するための高周波通信システムに追加的な手段を提供することができ、その結果、リンク安定性を改善して、システムスループットの増加に役立てることができる。
【００４４】
第７の態様に関連して、第７の態様の第１の実行可能な実装例では、処理ユニットは具体的に、現在の期間に対応する雑音レベル情報を取得し、雑音レベル情報に基づいてパイロットブロック構成情報を確定するように構成される。
【００４５】
第７の態様又は第７の態様の第１の実行可能な実装例に関連して、第７の態様の第２の実行可能な実装例では、本装置はさらに受信ユニットを含み、受信ユニットは受信機によって送信された雑音レベル情報を受信するように構成されるか、又は、受信ユニットは受信機によって送信されたデータブロックを受信するように構成され、処理ユニットはさらに、受信ユニットによって受信されたデータブロックに対して雑音レベル推定を行い、雑音レベル情報を確定するように構成される。
【００４６】
第７の態様又は第７の態様の第１の実行可能な実装例に関連して、第７の態様の第３の実行可能な実装例では、雑音レベル情報は加法性白色雑音情報及び乗法性位相雑音情報を含み、処理ユニットは具体的に、加法性白色雑音情報が前回取得された加法性白色雑音情報より多いか若しくは乗法性位相雑音情報が前回取得された乗法性位相雑音情報より少ない場合、送信予定のデータブロック内の各パイロットブロックに含まれるパイロットシンボルの数を増加させるか若しくはパイロットブロックの数を減少させる、又は、加法性白色雑音情報が前回取得された加法性白色雑音情報より少ないか若しくは乗法性位相雑音情報が前回取得された乗法性位相雑音情報より多い場合、送信予定のデータブロック内の各パイロットブロックに含まれるパイロットシンボルの数を減少させるか若しくはパイロットブロックの数を増加させるように構成される。
【００４７】
第７の態様又は第７の態様の第１の実行可能な実装例に関連して、第７の態様の第４の実行可能な実装例では、送信ユニットはさらに、雑音レベル情報が取得される前に、事前合意されたトレーニングシーケンスを受信機に送信するように構成され、その結果、受信機は事前合意されたトレーニングシーケンスに基づいて雑音レベル推定を行う。
【００４８】
第７の態様に関連して、第７の態様の第５の実行可能な実装例では、パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含む。
【００４９】
第７の態様又は第７の態様の第５の実行可能な実装例に関連して、第７の態様の第６の実行可能な実装例では、処理ユニットは具体的に、送信予定のデータブロックの長さ、パイロットブロックの数、及びパイロットブロック内のパイロットシンボルの数を用いて、事前合意された式に従って送信予定のデータブロック内のパイロットブロックの位置を計算するか、又は、送信予定のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従ってパイロットブロックの位置を計算し、パイロットブロックの位置に基づいて１つ又は複数のパイロットブロックを送信予定のデータブロックに挿入するように構成される。
【００５０】
第７の態様に関連して、第７の態様の第７の実行可能な実装例では、パイロットブロック構成情報が確定された後に、送信ユニットはさらに、パイロットブロック構成情報を受信機に送信するように構成されるか、又は、処理ユニットはさらに、パイロットブロック構成情報に基づいて、事前設定されたシーケンス若しくは変調コンスタレーションダイアグラムにパイロットブロックを設定するように構成される。
【００５１】
第８の態様によれば、信号伝送装置は、送信機によって送信された第１のデータブロックを受信するように構成された受信ユニットと、パイロットブロック構成方式情報を含むパイロットブロック構成情報を確定し、パイロットブロック構成方式情報に基づいて、第１のデータブロック内の１つ又は複数のパイロットブロックの位置に対応する位相雑音値を推定し、第１のデータブロック内の１つ又は複数のパイロットブロックの位置に対応する位相雑音値に基づいて、第１のデータブロックの複数のデータに対して位相雑音補償を行うように構成された処理ユニットとを含む。
【００５２】
１つ又は複数のパイロットブロックは、確定されたパイロットブロック構成情報に基づいて、送信予定のデータブロックに挿入される。これにより、データブロック内のパイロットブロックのサイズ及びデータブロック内のパイロットブロックの数の動的な調整が実現でき、変化する位相雑音レベルに適応して、位相雑音抑制効果の低下又はパイロットリソースの無駄を防ぐことができる。これで、非理想無線周波数要素に対処するための高周波通信システムに追加的な手段を提供することができ、その結果、リンク安定性を改善して、システムスループットの増加に役立てることができる。
【００５３】
第８の態様に関連して、第８の態様の第１の実行可能な実装例では、本装置はさらに送信ユニットを含み、送信機によって送信された第１のデータブロックと第１のデータブロック内のパイロットブロック構成情報とを受信する前に、受信ユニットはさらに、送信機によって送信された第２のデータブロックを受信するように構成され、処理ユニットはさらに、第２のデータブロックに対して復調及び雑音レベル推定を行い、第２のデータブロックの雑音レベル情報を取得するように構成され、送信ユニットは雑音レベル情報を送信機に送信するように構成される。
【００５４】
第８の態様又は第８の態様の第１の実行可能な実装例に関連して第８の態様の第２の実行可能な実装例では、処理ユニットは具体的に、第２のデータブロックが事前合意されたトレーニングシーケンスである場合、受信された第２のデータブロックを用いて雑音レベル推定を行うか、又は、第２のデータブロックが未知のデータである場合、軟判定復号又は硬判定復号の後に再構築される送信予定のデータブロックと第２のデータブロックとに基づいて、第２のデータブロックに対して雑音レベル推定を行うように構成される。
【００５５】
第８の態様に関連して、第８の態様の第３の実行可能な実装例では、パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含む。
【００５６】
第８の態様又は第８の態様の第３の実行可能な実装例に関連して、第８の態様の第４の実行可能な実装例では、処理ユニットは具体的に、パイロットブロック構成方式情報がパイロットブロックの数とパイロットブロックに含まれるパイロットシンボルの数とを含む場合、第１のデータブロックの長さ、パイロットブロックの数、及びパイロットブロック内のパイロットシンボルの数を用いて、事前合意された式に従って第１のデータブロック内のパイロットブロックの位置を計算し、１つ又は複数のパイロットブロックの位置に対応する位相雑音レベルを推定するか、又は、パイロットブロック構成方式情報がパイロットブロックの数のオフセット値とパイロットブロックに含まれるパイロットシンボルの数のオフセット値とを含む場合、第１のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従って第１のデータブロック内のパイロットブロックの位置を計算し、１つ又は複数のパイロットブロックの位置に対応する位相雑音レベルを推定するように構成される。
【００５７】
第８の態様に関連して、第８の態様の第５の実行可能な実装例では、処理ユニットは具体的に、送信機によって送信されたパイロットブロック構成情報を取得するか、又は第１のデータブロック内の事前設定されたシーケンス若しくは変調コンスタレーションダイアグラムに基づいて、パイロットブロック構成情報を確定するように構成される。
【００５８】
第９の態様によれば、信号伝送装置は、送受信機と、プロセッサと、メモリとを含み、プロセッサは、メモリ内のコードを読み出して、以下の複数のオペレーション、すなわち、送信予定のデータブロックを取得するオペレーションであって、送信予定のデータブロックは複数のデータを含む、オペレーションと、送信予定のデータブロックの複数のデータの間に１つ又は複数のパイロットブロックを合意位置に基づいて挿入するオペレーションであって、パイロットブロックは少なくとも２つの連続したパイロットシンボルを含む、オペレーションとを行うように構成され、送受信機は、１つ又は複数のパイロットブロックがプロセッサによって挿入された送信予定のデータブロックを送信する。
【００５９】
第９の態様に関連して、第９の態様の第１の実行可能な実装例では、合意位置は、送信機及び受信機によって事前合意された位置であるか、又は、合意位置は、送信予定のデータブロックの長さ、パイロットブロックの数、及びパイロットブロック内のパイロットシンボルの数を用いて、事前合意された式に従って送信機により計算される。
【００６０】
第１０の態様によれば、信号伝送装置は、送受信機と、プロセッサと、メモリとを含み、送受信機は送信機によって送信されたデータブロックを受信し、受信されたデータブロックは１つ又は複数のパイロットブロックを含み、パイロットブロックは少なくとも２つの連続したパイロットシンボルを含み、プロセッサはメモリ内のコードを読み出し、以下の複数のオペレーション、すなわち、受信ユニットによって受信されたデータブロック内の１つ又は複数のパイロットブロックの位置を確定するオペレーションと、受信されたデータブロック内の１つ又は複数のパイロットブロックの位置に対応する位相雑音値を推定するオペレーションと、受信されたデータブロック内の１つ又は複数のパイロットブロックの位置に対応する位相雑音値に基づいて、受信されたデータブロックの複数のデータに対して位相雑音補償を行うオペレーションとを行うように構成される。
【００６１】
第１０の態様に関連して、第１０の態様の第１の実行可能な実装例では、プロセッサは、受信されたデータブロック内の１つ又は複数のパイロットブロックの位置を送信機と合意した方式で確定するか、又は、プロセッサは、受信されたデータブロックの長さ、パイロットブロックの数、及びパイロットブロックに含まれるパイロットシンボルの数を用いて、事前合意された式に従って、受信されたデータブロック内の１つ又は複数のパイロットブロックの位置を計算する。
【００６２】
第１０の態様に関連して、第１０の態様の第２の実行可能な実装例では、プロセッサは、補間アルゴリズムを用いて、且つ受信されたデータブロック内の１つ又は複数のパイロットブロックの位置に対応する位相雑音値に基づいて、受信されたデータブロックの複数のデータの位置に対応する位相雑音値を推定し、プロセッサは、受信されたデータブロックの複数のデータの位置に対応する推定位相雑音値に基づいて、受信されたデータブロックの複数のデータに対して位相雑音補償を行う。
【００６３】
第１０の態様に関連して、第１０の態様の第３の実行可能な実装例では、プロセッサは、加重平均化アルゴリズムを用いて、受信されたデータブロック内の１つ又は複数のパイロットブロックの位置に対応する位相雑音値を推定する。
【００６４】
第１１の態様によれば、信号伝送装置は、送受信機と、プロセッサと、メモリとを含み、プロセッサはメモリ内のコードを読み出し、以下の複数のオペレーション、すなわち、パイロットブロック構成情報を確定するオペレーションであって、パイロットブロック構成情報はパイロットブロック構成方式情報を含む、オペレーションと、パイロットブロック構成方式情報に基づいて１つ又は複数のパイロットブロックを送信予定のデータブロックに挿入するオペレーションとを行うように構成され、送受信機は、１つ又は複数のパイロットブロックがプロセッサによって挿入された送信予定のデータブロックを送信する。
【００６５】
第１１の態様に関連して、第１１の態様の第１の実行可能な実装例では、プロセッサは、現在の期間に対応する雑音レベル情報を取得し、雑音レベル情報に基づいてパイロットブロック構成情報を確定する。
【００６６】
第１１の態様又は第１１の態様の第１の実行可能な実装例に関連して、第１１の態様の第２の実行可能な実装例では、送受信機は受信機によって送信された雑音レベル情報を受信するか、又は、送受信機は受信機によって送信されたデータブロックを受信し、プロセッサは、送受信機によって受信されたデータブロックに対して雑音レベル推定を行い、雑音レベル情報を確定する。
【００６７】
第１１の態様又は第１１の態様の第１の実行可能な実装例に関連して、第１１の態様の第３の実行可能な実装例では、雑音レベル情報は加法性白色雑音情報及び乗法性位相雑音情報を含み、加法性白色雑音情報が前回取得された加法性白色雑音情報より多いか若しくは乗法性位相雑音情報が前回取得された乗法性位相雑音情報より少ない場合、プロセッサは、送信予定のデータブロック内の各パイロットブロックに含まれるパイロットシンボルの数を増加させるか若しくはパイロットブロックの数を減少させる、又は、加法性白色雑音情報が前回取得された加法性白色雑音情報より少ないか若しくは乗法性位相雑音情報が前回取得された乗法性位相雑音情報より多い場合、プロセッサは、送信予定のデータブロック内の各パイロットブロックに含まれるパイロットシンボルの数を減少させるか若しくはパイロットブロックの数を増加させる。
【００６８】
第１１の態様又は第１１の態様の第１の実行可能な実装例に関連して、第１１の態様の第４の実行可能な実装例では、雑音レベル情報が取得される前に、送受信機は、事前合意されたトレーニングシーケンスを受信機に送信し、その結果、受信機は事前合意されたトレーニングシーケンスに基づいて雑音レベル推定を行う。
【００６９】
第１１の態様に関連して、第１１の態様の第５の実行可能な実装例では、パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含む。
【００７０】
第１１の態様又は第１１の態様の第５の実行可能な実装例に関連して、第１１の態様の第６の実行可能な実装例では、プロセッサは、送信予定のデータブロックの長さ、パイロットブロックの数、及びパイロットブロック内のパイロットシンボルの数を用いて、事前合意された式に従ってデータブロック内のパイロットブロックの位置を計算するか、又は、プロセッサは、送信予定のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従ってパイロットブロックの位置を計算し、パイロットブロックの位置に基づいて１つ又は複数のパイロットブロックを送信予定のデータブロックに挿入する。
【００７１】
第１１の態様に関連して、第１１の態様の第７の実行可能な実装例では、パイロットブロック構成情報が確定された後に、送受信機は、パイロットブロック構成情報を受信機に送信するか、又は、プロセッサは、パイロットブロック構成情報に基づいて、事前設定されたシーケンス若しくは変調コンスタレーションダイアグラムにパイロットブロックを設定する。
【００７２】
第１２の態様によれば、信号伝送装置は、送受信機と、プロセッサと、メモリとを含み、送受信機は、送信機によって送信された第１のデータブロックを受信し、プロセッサは、メモリ内のコードを読み出して、以下の複数のオペレーション、すなわち、パイロットブロック構成情報を確定するオペレーションであって、パイロットブロック構成情報はパイロットブロック構成方式情報を含む、オペレーションと、パイロットブロック構成方式情報に基づいて、第１のデータブロック内の１つ又は複数のパイロットブロックの位置に対応する位相雑音値を推定するオペレーションと、第１のデータブロック内の１つ又は複数のパイロットブロックの位置に対応する位相雑音値に基づいて、第１のデータブロックの複数のデータに対して位相雑音補償を行うオペレーションとを行うように構成される。
【００７３】
第１２の態様に関連して、第１２の態様の第１の実行可能な実装例では、送信機によって送信された第１のデータブロックと第１のデータブロック内のパイロットブロック構成情報とを受信する前に、送受信機は送信機によって送信された第２のデータブロックを受信し、プロセッサは、第２のデータブロックに対して復調及び雑音レベル推定を行い、第２のデータブロックの雑音レベル情報を取得し、送受信機は雑音レベル情報を送信機に送信する。
【００７４】
第１２の態様又は第１２の態様の第１の実行可能な実装例に関連して、第１２の態様の第２の実行可能な実装例では、第２のデータブロックが事前合意されたトレーニングシーケンスである場合、プロセッサは受信された第２のデータブロックを用いて雑音レベル推定を行うか、又は、第２のデータブロックが未知のデータである場合、プロセッサは、軟判定復号又は硬判定復号の後に再構築される送信予定のデータブロックと第２のデータブロックとに基づいて、第２のデータブロックに対して雑音レベル推定を行う。
【００７５】
第１２の態様に関連して、第１２の態様の第３の実行可能な実装例では、パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含む。
【００７６】
第１２の態様又は第１２の態様の第３の実行可能な実装例に関連して、第１２の態様の第４の実行可能な実装例では、パイロットブロック構成方式情報がパイロットブロックの数とパイロットブロックに含まれるパイロットシンボルの数とを含む場合、プロセッサは、第１のデータブロックの長さ、パイロットブロックの数、及びパイロットブロック内のパイロットシンボルの数を用いて、事前合意された式に従って第１のデータブロック内のパイロットブロックの位置を計算し、１つ又は複数のパイロットブロックの位置に対応する位相雑音レベルを推定するか、又は、パイロットブロック構成方式情報がパイロットブロックの数のオフセット値とパイロットブロックに含まれるパイロットシンボルの数のオフセット値とを含む場合、プロセッサは、第１のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従って第１のデータブロック内のパイロットブロックの位置を計算し、１つ又は複数のパイロットブロックの位置に対応する位相雑音レベルを推定する。
【００７７】
第１２の態様に関連して、第１２の態様の第５の実行可能な実装例では、プロセッサは、送信機によって送信されたパイロットブロック構成情報を取得するか、又は、プロセッサは、第１のデータブロック内の事前設定されたシーケンス若しくは変調コンスタレーションダイアグラムに基づいて、パイロットブロック構成情報を確定する。
【００７８】
第１３の態様によれば、コンピュータ記憶媒体が提供され、コンピュータ記憶媒体は、第９の態様のプロセッサによって実行されるコンピュータソフトウェア命令を格納して、第１の態様で提供された方法を行うように構成される。
【００７９】
第１４の態様によれば、コンピュータ記憶媒体が提供され、コンピュータ記憶媒体は、第１０の態様のプロセッサによって実行されるコンピュータソフトウェア命令を格納して、第２の態様で提供された方法を行うように構成される。
【００８０】
第１５の態様によれば、コンピュータ記憶媒体が提供され、コンピュータ記憶媒体は、第１１の態様のプロセッサによって実行されるコンピュータソフトウェア命令を格納して、第３の態様で提供された方法を行うように構成される。
【００８１】
第１６の態様によれば、コンピュータ記憶媒体が提供され、コンピュータ記憶媒体は、第１２の態様のプロセッサによって実行されるコンピュータソフトウェア命令を格納して、第４の態様で提供された方法を行うように構成される。
【００８２】
第１７の態様によれば、信号伝送装置が提供され、信号伝送装置は、送受信機と、プロセッサと、メモリとを含み、プロセッサは、メモリ内のコードを読み出し、第１の態様で提供された方法又は第１の態様の実行可能な実装例を行うように構成される。
【００８３】
第１８の態様によれば、信号伝送装置が提供され、信号伝送装置は、送受信機と、プロセッサと、メモリとを含み、プロセッサは、メモリ内のコードを読み出し、第２の態様又は第２の態様の実行可能な実装例のうちいずれか１つで提供された方法を行うように構成される。
【００８４】
第１９の態様によれば、信号伝送装置が提供され、信号伝送装置は、送受信機と、プロセッサと、メモリとを含み、プロセッサは、メモリ内のコードを読み出し、第３の態様又は第３の態様の実行可能な実装例のうちいずれか１つで提供された方法を行うように構成される。
【００８５】
第２０の態様によれば、信号伝送装置が提供され、信号伝送装置は、送受信機と、プロセッサと、メモリとを含み、プロセッサは、メモリ内のコードを読み出し、第４の態様又は第４の態様の実行可能な実装例のうちいずれか１つで提供された方法を行うように構成される。
【００８６】
本発明の実施形態によれば、送信機は、送信予定のデータブロックを取得し、送信予定のデータブロックの複数のデータの間に１つ又は複数のパイロットブロックを合意位置に基づいて挿入し、１つ又は複数のパイロットブロックが挿入された送信予定のデータブロックを送信する。送信予定のデータブロックの複数のデータの間に１つ又は複数のパイロットブロックを挿入することによって、パイロットオーバヘッドを増加させることなく受信機の位相雑音補償効果を改善することができる。
【図面の簡単な説明】
【００８７】
本発明の実施形態における技術的解決手段をより明確に説明するために、以下では、これらの実施形態を説明するのに必要な添付図面を簡潔に説明する。
【００８８】
【図１】従来技術によるデータブロックの概略構造図である。
【００８９】
【図２】従来技術による雑音コンスタレーションポイントの概略図である。
【００９０】
【図３】本発明の一実施形態によるシステムアーキテクチャの概略図である。
【００９１】
【図４】本発明の一実施形態によるシミュレーションデータの概略図である。
【００９２】
【図５】本発明の一実施形態による信号伝送方法の概略フローチャートである。
【００９３】
【図６】本発明の一実施形態によるデータブロックの概略構造図である。
【００９４】
【図７】本発明の一実施形態によるシミュレーションデータの概略図である。
【００９５】
【図８】本発明の一実施形態によるシミュレーションデータの概略図である。
【００９６】
【図９】本発明の一実施形態によるシミュレーションデータの概略図である。
【００９７】
【図１０】本発明の一実施形態による信号伝送方法の概略フローチャートである。
【００９８】
【図１１】本発明の一実施形態による信号伝送処理におけるパイロットブロックの数の変化についての概略図である。
【００９９】
【図１２Ａ】本発明の一実施形態による、図１１の時間Ｔ２におけるシミュレーションデータの概略図である。
【図１２Ｂ】本発明の一実施形態による、図１１の時間Ｔ３におけるシミュレーションデータの概略図である。
【０１００】
【図１３】本発明の一実施形態による一実装例の概略原理図である。
【０１０１】
【図１４】本発明の一実施形態による別の実装例の概略原理図である。
【０１０２】
【図１５】本発明の一実施形態によるシミュレーションデータの概略図である。
【０１０３】
【図１６】本発明の一実施形態による信号伝送装置の概略構造図である。
【０１０４】
【図１７】本発明の一実施形態による信号伝送装置の概略構造図である。
【０１０５】
【図１８】本発明の一実施形態による信号伝送装置の概略構造図である。
【０１０６】
【図１９】本発明の一実施形態による信号伝送装置の概略構造図である。
【０１０７】
【図２０】本発明の一実施形態による信号伝送デバイスの概略構造図である。
【０１０８】
【図２１】本発明の一実施形態による信号伝送デバイスの概略構造図である。
【０１０９】
【図２２】本発明の一実施形態による信号伝送デバイスの概略構造図である。
【０１１０】
【図２３】本発明の一実施形態による信号伝送デバイスの概略構造図である。
【発明を実施するための形態】
【０１１１】
本発明の目的、技術的解決手段、及び利点をより明確にするために、以下ではさらに、添付図面を参照して本発明を詳細に説明する。
【０１１２】
図３は、本発明の実施形態が適用可能なシステムアーキテクチャを示す。信号伝送制御がこのシステムアーキテクチャに基づいて実現され得る。本発明の一実施形態において提供される信号伝送のシステムアーキテクチャは、端末１０１と基地局１０２とを含む。
【０１１３】
端末１０１は、音声及び／又はデータの接続をユーザに提供するデバイス（ｄｅｖｉｃｅ）であってよく、無線端末又は有線端末を含む。無線端末は、無線接続機能を備えたハンドヘルド型デバイス、無線モデムに接続された別の処理デバイス、又は無線アクセスネットワークを用いて１つ又は複数のコアネットワークと通信する移動端末であってよい。例えば、無線端末は携帯電話（「セルラー方式」の電話とも呼ばれる）及び移動端末を備えたコンピュータであってもよい。別の例では、無線端末は、携帯型移動デバイス、ポケットサイズ型移動デバイス、ハンドヘルド型移動デバイス、コンピュータ内蔵型移動デバイス、又は車載型移動デバイスであってもよい。さらに別の例では、無線端末は、移動局（ｍｏｂｉｌｅ  ｓｔａｔｉｏｎ）、アクセスポイント（ａｃｃｅｓｓ  ｐｏｉｎｔ）、又はユーザ機器（ｕｓｅｒ  ｅｑｕｉｐｍｅｎｔ、略してＵＥ）の一部であってもよい。本発明のこの実施形態の基地局１０２は、限定されるものではないが、ノード、ステーション制御装置、アクセスポイント（Ａｃｃｅｓｓ  Ｐｏｉｎｔ、略してＡＰ）、又は無線環境で機能し得る任意の他の種類のインタフェースデバイスを含む。
【０１１４】
端末１０１は基地局１０２と無線通信を行うことができる。端末１０１及び基地局１０２はそれぞれ送信機及び受信機を含み、送信機を通じて信号を送信して、受信機を通じて情報を受信することによって信号伝送を行う。
【０１１５】
基地局１０２と情報伝送を行う場合、端末１０１は通常、単一点パイロットを送信予定のデータブロックに挿入して、単一点パイロットの位相雑音値を推定し、その結果、限られたデータに対して位相雑音補償を実施する。加法性白色雑音もコンスタレーションポイントの位相回転を生じさせる。したがって、信号対雑音比が比較的低い場合、加法性白色雑音は比較的大きい位相回転を生じさせる。先行技術において単一点パイロットを用いて取得された推定位相雑音値は、白色雑音の影響に起因して不正確である。
【０１１６】
図４に示すように、破線が、シミュレーションで実際に加えられた位相雑音の値を表し、実線が、先行技術の単一点パイロット推定及びフィッティングを通じて取得された推定位相雑音値を表す。この２つの値の間には大きな差がある。信号対雑音比が比較的低く、加法性雑音が明らかな場合、単一点パイロットを用いて正確な位相雑音推定及び位相雑音補償を正しく行うことはできないことが分かる。
【０１１７】
前述の説明に基づいて、先行技術に見られる問題を解決するために、図５では本発明の一実施形態による信号伝送方法の手順を一例として示す。本手順は信号伝送装置によって行われてよく、本装置は基地局であってよく、又は端末であってもよい。
【０１１８】
図５に示すように、本手順は具体的に以下の各段階を含む。
【０１１９】
段階５０１：送信機は送信予定のデータブロックを取得する。
【０１２０】
段階５０２：送信機は、送信予定のデータブロックの複数のデータの間に１つ又は複数のパイロットブロックを合意位置に基づいて挿入する。
【０１２１】
段階５０３：送信機は、１つ又は複数のパイロットブロックが挿入された送信予定のデータブロックを受信機に送信する。
【０１２２】
段階５０４：受信機は、受信されたデータブロック内の１つ又は複数のパイロットブロックの位置を確定し、受信されたデータブロック内の１つ又は複数のパイロットブロックの位置に対応する位相雑音値を推定する。
【０１２３】
段階５０５：受信機は、受信されたデータブロック内の１つ又は複数のパイロットブロックの位置に対応する位相雑音値に基づいて、受信されたデータブロックの複数のデータに対して位相雑音補償を行う。
【０１２４】
本発明のこの実施形態において、送信予定のデータブロックは複数のデータ、具体的には複数の有効データを含む。送信機は、送信予定のデータブロックの複数のデータの間に１つ又は複数のパイロットブロックを合意位置に基づいて挿入する。パイロットブロックは少なくとも２つの連続したパイロットシンボルを含む。例えば、各データブロックはＬ個のデータを含み、Ｊ個のパイロットブロックがＬ個のデータの間に挿入され、各パイロットブロックはＫ個のパイロットシンボルを含み、Ｋは１より大きい整数である。さらに、長さＭのユニークワード（Ｕｎｉｑｕｅ  ｗｏｒｄ、ＵＷ）が各データブロックのヘッダーに加えられる。ユニークワードが加えられた後、各データブロックは、Ｎ＝Ｌ＋Ｊ×Ｋ＋Ｍの長さを持つ。長さＭのＵＷシーケンスは均等なサイクリックプレフィックスを形成するのに用いられ、その結果、受信機は、処理する際に低複雑度の周波数領域均一化を用いて、マルチパスチャネルの影響を取り除くことができる。一般的な通信システムにおいて、通常、Ｎは所与の値であり、通常は２の整数べき乗である。またＭは、マルチパスチャネルの実効遅延長と通信システムのアップサンプリングの倍数とに基づいて決定され、Ｍも通常は固定値である。図６は、パイロット及びユニークワードが挿入された送信予定のデータブロックの概略図である。送信予定のデータブロックは３つのパイロットブロックを含み、各パイロットブロックは５つの連続したパイロットシンボルを含む。送信機は、形成されたデータストリームに対してアップサンプリング及び整形フィルタリングを行い、周波数領域の帯域外漏洩を制限し、その後、フィルタリングされた信号を中間無線周波数リンクで送信する。
【０１２５】
合意位置は、送信機及び受信機によって事前合意された位置であってよく、具体的には、通信プロトコルによって直接指定されてよい。合意位置は代替的に、送信予定のデータブロックの長さ、パイロットブロックの数、及びパイロットブロック内のパイロットシンボルの数を用いて、事前合意された式に従って送信機により計算されてもよい。例えば、計算式は、データブロック長Ｎ、ユニークワード長Ｍ、有効データ長Ｌ、パイロットブロックの数Ｊ、及びパイロットブロック内のシンボルポイントの数Ｋに基づいて、データブロック内の各パイロットの位置を確定するために提供されてよい。
【０１２６】
受信機によって受信されたデータブロックは、１つ又は複数のパイロットブロックを含む。受信されたデータブロックの構造については、図６を参照されたい。パイロットブロックは複数の連続したパイロットシンボルを含む。
【０１２７】
送信機によって送信されたデータブロックを受信した後に、受信機はまず、受信されたデータブロックに対して受信機フィルタリング及びダウンサンプリングを行い、次に、限られたデータに対してブロック単位でチャネル均一化を行い、マルチパスチャネルの影響を取り除く。
【０１２８】
受信されたデータブロック内の１つ又は複数のパイロットブロックの位置を受信機によって確定する段階は具体的に、受信されたデータブロック内の１つ又は複数のパイロットブロックの位置を送信機と合意した方式に基づいて受信機によって確定する段階か、又は、受信されたデータブロックの長さ、パイロットブロックの数、及びパイロットブロックに含まれるパイロットシンボルの数を用いて、受信されたデータブロック内の１つ又は複数のパイロットブロックの位置を事前合意された式に従って受信機によって計算する段階を含む。
【０１２９】
受信されたデータブロック内の１つ又は複数のパイロットブロックの位置を確定した後に、受信機は、補間アルゴリズムを用いて、且つ受信されたデータブロック内の１つ又は複数のパイロットブロックの位置に対応する位相雑音値に基づいて、受信されたデータブロックの複数のデータの位置に対応する位相雑音値を推定し、次に受信機は、受信されたデータブロックの複数のデータの位置に対応する推定位相雑音値に基づいて、受信されたデータブロックの複数のデータに対して位相雑音補償を行い、その後の信号復調の信頼性を改善し得る。
【０１３０】
受信されたデータブロック内の１つ又は複数のパイロットブロックの位置に対応する位相雑音値を推定する場合、受信機は、加重平均化アルゴリズムを用いて、受信されたデータブロック内の１つ又は複数のパイロットブロックの位置に対応する位相雑音値を推定し、加法性白色雑音の影響を減少させることができる。本発明のこの実施形態は、単なる一例にすぎない。受信されたデータブロック内の１つ又は複数のパイロットブロックの位置に対応する位相雑音値を推定するのに用いられるアルゴリズムには、何も制限は設けられていない。
【０１３１】
前述の実施形態によれば、送信機は、送信予定のデータブロックを取得し、送信予定のデータブロックの複数のデータの間に１つ又は複数のパイロットブロックを合意位置に基づいて挿入し、１つ又は複数のパイロットブロックが挿入された送信予定のデータブロックを送信する。送信予定のデータブロックの複数のデータの間に１つ又は複数のパイロットブロックを挿入することによって、パイロットオーバヘッドを増加させることなく受信機の位相雑音補償効果を改善することができる。
【０１３２】
前述の実施形態によれば、受信機は、送信機によって送信されたデータブロックを受信し、受信されたデータブロック内の１つ又は複数のパイロットブロックの位置を確定し、受信されたデータブロック内の１つ又は複数のパイロットブロックの位置に対応する位相雑音値を推定し、受信されたデータブロック内の１つ又は複数のパイロットブロックの位置に対応する位相雑音値に基づいて、受信されたデータブロックの複数のデータに対して位相雑音補償を行う。複数のパイロットシンボルを含むパイロットブロックを用いることで、位相雑音推定精度を改善し、且つパイロットオーバヘッドを増加させずに受信機の位相雑音補償効果を改善することができる。
【０１３３】
本発明の前述の実施形態は、複数のパイロットシンボルを含むパイロットブロックが位相雑音推定に用いられるべきであることを提案する。パイロットブロックを用いて位相雑音推定が行われる場合、加法性白色雑音と位相雑音の高周波成分との影響が加重平均化を通じて効果的に削減され、位相雑音の低周波包絡線を正確にたどることができる。複数のパイロットブロックの推定位相雑音値を用いて、パイロットブロックの間のデータシンボルの位相雑音に対して推定及び補償を行うことで、システム性能への位相雑音の影響が効果的に抑制され得る。
【０１３４】
図７は、本発明の一実施形態による信号伝送方法の有益な効果のシミュレーション図である。縦軸がパケット誤り率を示し、横軸が信号対雑音比を示す。図７では、四角でプロットした曲線が、３２個の単一点パイロットシンボルを１つのデータブロックに均等に挿入したパイロット構成方式に対応し、丸でプロットした曲線が、それぞれが８個のパイロットシンボルを含む４つのパイロットブロックを用いたパイロット構成方式に対応する。
オーバーヘッドが同じ場合、本発明において提案された、パイロットブロックに基づくパイロット構成方式と受信機処理方式とによって、より低いパケット誤り率が実現され、システム性能が効果的に改善され得ることが分かる。
【０１３５】
しかしながら、先行技術では、比較的高い信号対雑音比のシナリオにおいて、単一点パイロットの位置の位相雑音が、単一点パイロットを用いて正確に推定され得る。上述したように、位相雑音の振幅が製造手法及び使用シナリオに関連している。デバイス温度が上昇すると、位相雑音レベルも上昇する。先行技術では固定パイロット密度が用いられることに留意されたい。この構成では、位相雑音レベルが変化するという性質に適応できない。図８に示すように、位相雑音レベルが比較的高い場合、用いるパイロットが少な過ぎるならば、位相雑音の低周波包絡線を正確に推定することができず、補償を行うことができない。図９に示すように、位相雑音レベルが比較的低く、用いるパイロットが多過ぎる場合、位相雑音推定及び位相雑音補償を正確に行うことができるが、高過ぎるパイロットオーバヘッドによってリソースの無駄が生じ、全体的なシステムスループットが最高にはならない。固定パイロット構成では、位相雑音レベルが常に変化するシナリオに適応できず、マルチユーザのシナリオにおける異なるユーザの位相雑音レベル間の差に適応できないことが分かる。
【０１３６】
前述の説明に基づいて、先行技術に見られる問題を解決するために、図１０では本発明の一実施形態による信号伝送方法の手順を示す。本手順は信号伝送装置によって行われてよく、本装置は基地局又は端末などの通信デバイスであってよい。
【０１３７】
図１０に示すように、本手順は具体的に以下の各段階を含む。
【０１３８】
段階１００１：送信機がパイロットブロック構成情報を確定する。
【０１３９】
段階１００２：送信機は、パイロットブロック構成方式情報に基づいて、１つ又は複数のパイロットブロックを送信予定のデータブロックに挿入する。
【０１４０】
段階１００３：送信機は、１つ又は複数のパイロットブロックが挿入された送信予定のデータブロックを受信機に送信する。
【０１４１】
段階１００４：受信機は、パイロットブロック構成情報を確定する。パイロットブロック構成情報はパイロットブロック構成方式情報を含む。
【０１４２】
段階１００５：受信機は、パイロットブロック構成方式情報に基づいて、第１のデータブロック内の１つ又は複数のパイロットブロックの位置に対応する位相雑音値を推定する。
【０１４３】
段階１００６：受信機は、第１のデータブロック内の１つ又は複数のパイロットブロックの位置に対応する位相雑音値に基づいて、第１のデータブロックの複数のデータに対して位相雑音補償を行う。
【０１４４】
本発明のこの実施形態において、パイロットブロック構成情報はパイロットブロック構成方式情報を含む。パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含んでよい。パイロットブロック構成方式の番号は、１つのパイロットブロック構成方式に対応する。パイロットブロック構成方式は、表１及び表２の例に示すように、パイロットブロックの数及びパイロットブロックに含まれるパイロットシンボルの数、又は、パイロットブロックの数のオフセット値及びパイロットブロックに含まれるパイロットシンボルの数のオフセット値に対応してよい。
【表１】
2019523585.tif 000003
【０１４５】
送信機は、以下の方式でパイロットブロック構成情報を確定する。すなわち、現在の期間に対応する雑音レベル情報を送信機によって取得し、雑音レベル情報に基づいてパイロットブロック構成情報を確定する。雑音レベル情報は、加法性白色雑音情報及び乗法性位相雑音情報を含む。現在の期間に対応する雑音レベル情報は、受信されたデータブロックに対して復調及び雑音レベル推定を受信機によって行うことで取得され、その後、送信機に送信される。送信機は、現在の期間に対応する取得済みの雑音レベル情報に基づいて、パイロットブロック構成情報を確定してよい。この場合、現在の期間に対応する雑音レベル情報を取得する前に、送信機は、事前合意されたトレーニングシーケンスを受信機に送信する必要があり、その結果、受信機は事前合意されたトレーニングシーケンスに基づいて雑音レベル推定を行う。雑音レベル推定に用いられるアルゴリズムは、本発明のこの実施形態において限定されない。
【０１４６】
現在の期間に対応する雑音レベル情報は代替的に、受信機によって送信されたデータブロックを受信して、受信されたデータブロックに対して雑音レベル推定を行うことにより、送信機によって確定される雑音レベル情報であってもよい。
【０１４７】
データブロック内のパイロットブロックの位置を受信機が正確に確定できるようにするために、送信機は、雑音レベル情報に基づいてパイロットブロック構成情報を確定する必要がある。加法性白色雑音情報が前回取得された加法性白色雑音情報より多いか又は乗法性位相雑音情報が前回取得された乗法性位相雑音情報より少ない場合、送信機は、送信予定のデータブロック内の各パイロットブロックに含まれるパイロットシンボルの数を増加させるか又はパイロットブロックの数を減少させてよい。加法性白色雑音情報が前回取得された加法性白色雑音情報より少なく、且つ乗法性位相雑音情報が前回取得された乗法性位相雑音情報より多い場合、送信機は、送信予定のデータブロック内の各パイロットブロックに含まれるパイロットシンボルの数を減少させるか又はパイロットブロックの数を増加させてよい。
【０１４８】
例えば、白色雑音レベルが比較的高いが、位相雑音レベルが比較的低い場合、送信機は、各パイロットブロック内のパイロットシンボルの数を増加させてよい。その結果、受信機が位相雑音推定を行う場合、白色雑音の影響が効果的に削減され、パイロットブロックの位相雑音の値が正確に推定される。白色雑音レベルが比較的低いが、位相雑音レベルが比較的高い場合、送信機は、各パイロットブロック内のパイロットシンボルの数を減少させて、白色雑音を除去するためのパイロットオーバヘッドを減少させ、受信機が位相雑音の低周波包絡線をより効果的に推定して補償を行うように、パイロットブロックの数を増加させてよい。
【０１４９】
送信機は、受信された雑音レベル情報に基づいて、新たなパイロットブロック構成情報を確定し、このパイロットブロック構成情報を受信機に通知する。パイロットブロック構成情報を確定した後に、送信機はパイロットブロック構成情報を受信機に送信するか、又は送信機は、パイロットブロック構成情報に基づいて、事前設定されたシーケンス若しくは変調コンスタレーションダイアグラムにパイロットブロックを設定する。送信機は、パイロットブロック構成情報をデータブロックに加え、次に、そのデータブロックを受信機に送信してよく、又は低周波リンクなどの二次通信リンクでパイロットブロック構成情報を受信機に送信してもよい。それに応じて、送信機は、データブロックのものとは異なる特殊なシーケンス又は変調コンスタレーションダイアグラムを用いて、パイロットブロックを挿入してよい。例えば、１６ＱＡＭ（Ｑｕａｄｒａｔｕｒｅ  Ａｍｐｌｉｔｕｄｅ  Ｍｏｄｕｌａｔｉｏｎ、直交振幅変調）がデータブロックに用いられ、ＢＰＳＫ（Ｂｉｎａｒｙ  Ｐｈａｓｅ  Ｓｈｉｆｔ  Ｋｅｙｉｎｇ、二位相偏移変調）がパイロットブロックに用いられる。
【０１５０】
送信機によって受信機に通知されるパイロットブロック構成情報は、パイロットブロックの数Ｊ及びパイロットブロック内のシンボルポイントの数Ｋに関する新たな値を含む包括的なパイロットブロック構成方式情報を含んでよく、又はＪの新たな値と以前のパイロットブロックの数とのオフセット、すなわちｄＪ＝Ｊ２−Ｊ１、及びＫの新たな値とパイロットブロック内の以前のパイロットシンボルの数とのオフセット、すなわちｄＫ＝Ｋ２−Ｋ１であってもよい。Ｊ２及びＫ２は新たなパイロットブロック構成方式情報を構成し、Ｊ１及びＫ１は以前のパイロットブロック構成方式情報を構成する。
【０１５１】
パイロットブロック構成方式情報を確定した後に、送信機は、パイロットブロック構成方式情報に基づいて、１つ又は複数のパイロットブロックを送信予定のデータブロックに挿入する。パイロットブロック構成方式情報が、パイロットブロックの数及びパイロットブロックに含まれるパイロットシンボルの数を含む場合、送信機は、送信予定のデータブロックの長さ、パイロットブロックの数、及びパイロットブロック内のパイロットシンボルの数を用いて、事前合意された式に従ってデータブロック内のパイロットブロックの位置を計算し、パイロットブロックの位置に基づいて１つ又は複数のパイロットブロックを送信予定のデータブロックに挿入する。
【０１５２】
パイロットブロック構成方式情報が、パイロットブロックの数のオフセット値及びパイロットブロックに含まれるパイロットシンボルの数のオフセット値を含む場合、送信機は、送信予定のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従ってパイロットブロックの位置を計算し、パイロットブロックの位置に基づいて１つ又は複数のパイロットブロックを送信予定のデータブロックに挿入する。
【０１５３】
本発明のこの実施形態において、受信機によって受信される第１のデータブロックは、１つ又は複数のパイロットブロックが挿入され且つ送信機によって送信されるデータブロックである。第１のデータブロックを受信した後に、受信機はさらに、送信機によって送信される第２のデータブロックを受信し、次に第２のデータブロックに対して復調及び雑音レベル推定を行い、第２のデータブロックの雑音レベル情報を取得する必要がある。受信機は雑音レベル情報を送信機に送信し、その結果、送信機は雑音レベル情報に基づいてパイロットブロック構成情報を確定する。
【０１５４】
具体的には、受信機が第２のデータブロックに対して雑音レベル推定を行う場合、第２のデータブロックが事前合意されたトレーニングシーケンスであるならば、受信機は、受信された第２のデータブロックを用いて雑音レベル推定を行ってよい。推定方法は、本発明のこの実施形態において限定されない。第２のデータブロックが未知のデータである場合、受信機は、軟判定復号又は硬判定復号の後に再構築される送信予定のデータブロックと第２のデータブロックとに基づいて、第２のデータブロックに対して雑音レベル推定を行う必要がある。未知のデータは、受信機によって一度も受信されたことがないデータであり得る。
【０１５５】
第１のデータブロックを受信した後に、受信機はさらに、パイロットブロック構成情報を確定する必要がある。パイロットブロック構成情報は、送信機によって送信され、受信機によって取得されるパイロットブロック構成情報であってよく、又は第１のデータブロック内の事前設定されたシーケンス若しくは変調コンスタレーションダイアグラムに基づいて、受信機によって確定されてもよい。例えば、第１のデータブロックのものとは異なる特殊なシーケンス又は変調コンスタレーションダイアグラムがパイロットブロックに用いられ、受信機はブラインド検出を通じてパイロットブロック構成情報を認識してよい。
【０１５６】
パイロットブロック構成情報を確定した後に、受信機は、パイロットブロック構成情報内のパイロットブロック構成方式情報に基づいて、第１のデータブロック内の１つ又は複数のパイロットブロックの位置に対応する位相雑音値を推定する。
【０１５７】
パイロットブロック構成方式情報が、パイロットブロックの数及びパイロットブロックに含まれるパイロットシンボルの数を含む場合、受信機は、第１のデータブロックの長さ、パイロットブロックの数、及びパイロットブロック内のパイロットシンボルの数を用いて、事前合意された式に従って第１のデータブロック内のパイロットブロックの位置を計算し、１つ又は複数のパイロットブロックの位置に対応する雑音レベルを推定する。
【０１５８】
パイロットブロック構成方式情報が、パイロットブロックの数のオフセット値及びパイロットブロックに含まれるパイロットシンボルの数のオフセット値を含む場合、受信機は、第１のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従って第１のデータブロック内のパイロットブロックの位置を計算し、１つ又は複数のパイロットブロックの位置に対応する雑音レベルを推定する。
【０１５９】
例えば、新たなパイロットブロック構成方式情報がパイロットブロックの数Ｊ及びパイロットブロックに含まれるパイロットシンボルの数Ｋに関する新たな値を含む場合、受信機は、その後の位相雑音推定及び位相雑音補償のために、計算式に従って新たなパイロット位置を確定してよい。この計算式は、データブロック長Ｎ、ユニークワード長Ｍ、有効データ長Ｌ、パイロットブロックの数Ｊ、及びパイロットブロック内のパイロットシンボルの数Ｋを用いて、データブロック内の各パイロットの位置を確定するのに用いられる。新たなパイロットブロック構成方式情報が、新たなパイロットブロック構成情報と以前のパイロットブロック構成情報との間のオフセットの値ｄＪ及びｄＫを含む場合、以前のパイロットブロック構成情報内のＪ１及びＫ１の値に基づいて、新たなパイロットブロック構成情報におけるＪ２＝ｄＪ＋Ｊ１及びＫ２＝ｄＫ＋Ｋ１の値を計算した後に、受信機は、その後の位相雑音推定及び位相雑音補償のために、前述の方法を用いて新たなパイロットブロック位置を確定する。具体的な位相雑音推定及び位相雑音補償の方法は、本発明のこの実施形態において限定されない。
【０１６０】
本発明のこの実施形態では、本発明のこの実施形態において提供される信号伝送方法に従って、データブロック内のパイロットブロックのサイズとデータブロック内のパイロットブロックの数とを動的に調整することができ、変化する位相雑音レベルに適応して、位相雑音抑制効果の低下又はパイロットリソースの無駄を防ぐ。これで、非理想無線周波数要素に対処するための高周波通信システムに追加的な手段を提供することができ、その結果、リンク安定性を改善して、システムスループットの増加に役立てることができる。図１１は、本発明の一実施形態による、時間及び位相雑音レベルが信号伝送時に変化した際のパイロットブロックの変化を示す。図１１に示すように、時間Ｔ１、Ｔ２、及びＴ３がある。時間Ｔ１から時間Ｔ２までは、パイロットブロックの数が減少するが、各パイロットブロックのサイズが増加する。時間Ｔ２から時間Ｔ３までは、パイロットブロックの数は増加するが、各パイロットブロックのサイズは減少する。これらの変化は、信号対雑音比及び位相雑音レベルの変化に適応するために、信号伝送システムによって引き起こされ、その結果、信号伝送安定性が保証され、スループットが増加する。
【０１６１】
図１２Ａ及び図１２Ｂは、実際に加えられた位相雑音と、時間Ｔ２及び時間Ｔ３でのシミュレーションで受信機により推定された位相雑音値を示す。本発明のこの実施形態において提供される信号伝送方法は以下の効果を実現できることが、図１２Ａ及び図１２Ｂから分かる。すなわち、適切なパイロットオーバヘッドで、位相雑音の低周波包絡線を効果的にたどることができ、受信機において補償を行い、位相雑音を抑制することができる。
【０１６２】
図１３は、本発明の一実施形態による信号伝送方法の一実装例の概略原理図である。図１３に示すように、送信機が、受信機によって推定されてフィードバックされた雑音レベルに基づいて、パイロット構成方式を継続的に調整し、受信機が位相雑音補償を行うのを助ける。これにより、通信リンクの信頼性を維持しながらオーバーヘッドを減少させ、システムスループットをできる限り増加させる。
【０１６３】
図１４は、本発明の一実施形態による信号伝送方法の別の実装例の概略原理図である。図１４に示すように、送信機がそれ自体で雑音レベルを推定してパイロット構成方式を継続的に調整し、受信機がそれに応じて位相雑音推定及び位相雑音補償の方式を更新する。この実装例は伝送チャネルの対称性を利用する。具体的には、送信機によって情報を受信機に送信するときの雑音レベルが、受信機によって情報を送信機に送信するときの雑音レベルとほぼ同じである。
【０１６４】
前述の実施形態において提供される信号伝送方法によれば、現在の白色雑音及び位相雑音レベルが推定されてよく、それに応じて受信機におけるパイロット構成方式及び補償アルゴリズムが調整されてよい。これは伝送信頼性を保証するだけでなく、パイロットオーバヘッドも管理することができ、これにより、システムスループットが増加する。
【０１６５】
図１５は、本発明の一実施形態による信号伝送方法の有益な効果のシミュレーション図である。縦軸がパケット誤り率を示し、横軸が電力スペクトルにおける１ＭＨｚの周波数に対応する位相雑音の電力値を示す。位相雑音の電力値が大きくなると、より深刻な性能低下を高周波通信システムにもたらす。シミュレーションに用いられる信号対雑音比は固定値である。シミュレーションにおける信号伝送方式及び位相雑音モデルは、図７に用いられたものと同じである。所与のパイロット構成を用いると、パケット誤り率が位相雑音電力レベルと共に増加することが図１５から分かる。通信システムの設計実績に基づいて、パケット誤り率を約０．１に維持することによってシステムスループットが効果的に改善され得る。この例では、固定パイロット構成方式が用いられている。２つのパイロットブロックを有するパイロット構成方式が用いられ、これが丸でプロットした曲線で表される場合、位相雑音電力レベルが増加するにつれてパケット誤り率が急速に増加し、これが伝送信頼性を低下させる。４つのパイロットブロックを有するパイロット構成方式が用いられ、これがアスタリスクでプロットした曲線で表される場合、位相雑音電力レベルが減少するにつれてパケット誤り率が０．０５以下に減少し、これがパイロットリソースの無駄を生じさせ、システムスループットの最大化に影響を及ぼす。
【０１６６】
適応型パイロット構成方式及び対応する位相雑音補償アルゴリズムが受信機で用いられる場合、システムのパケット誤り率を約０．１に維持することができ、これにより、システムスループットが増加することが図１５から分かる。本明細書において提供される方式は、信号対雑音比が固定されているシナリオに特有のものである。前述の信号伝送方法におけるパイロット構成方式では、パイロットブロックの数が、位相雑音電力レベルの上昇又は低下のみに基づいて増加又は減少するが、各パイロットブロック内のパイロットシンボルの数は調整されない。さらに、前述の信号伝送方法におけるパイロット構成方式によれば、通信システムが自己適応をより自由に行うことができる。
【０１６７】
表２は、図７と同じシステム構成が用いられる場合に、異なる位相雑音電力レベルの下で、パケット誤り率を約０．１に維持するのに必要なパイロットブロックの数を記載している。位相雑音電力レベルが高くなると、より多くのパイロットブロックが必要になることが分かる。本発明において提供される適応型パイロット構成方式によれば、パイロット構成が自動的に調整されて、位相雑音電力レベルの変化に適応することができる。これにより、システム信頼性を保証しながら、パイロットオーバヘッドを減少させ、伝送システムのスループットを増加させる。
【表２】
2019523585.tif 000004
【０１６８】
同じ技術的考えに基づいて、図１６は、本発明の一実施形態による信号伝送装置の構造を示す。本装置は、信号伝送手順を実行することができ、基地局又は端末であってよい。
【０１６９】
図１６に示すように、本装置は具体的に、複数のデータを含む送信予定のデータブロックを取得し、送信予定のデータブロックの複数のデータの間に１つ又は複数のパイロットブロックを合意位置に基づいて挿入するように構成された処理ユニット１６０１であって、パイロットブロックは少なくとも２つの連続したパイロットシンボルを含む、処理ユニット１６０１と、１つ又は複数のパイロットブロックが処理ユニット１６０１によって挿入された送信予定のデータブロックを送信するように構成された送信ユニット１６０２とを含む。
【０１７０】
合意位置は送信機及び受信機によって事前合意された位置であるか、又は合意位置は、送信予定のデータブロックの長さ、パイロットブロックの数、及びパイロットブロック内のパイロットシンボルの数を用いて、事前合意された式に従って送信機によって計算されることが好ましい。
【０１７１】
同じ技術的考えに基づいて、図１７は、本発明の一実施形態による信号伝送装置の構造を示す。本装置は、信号伝送手順を実行することができ、基地局又は端末であってよい。
【０１７２】
図１７に示すように、本装置は具体的に、送信機によって送信されたデータブロックを受信するように構成された受信ユニット１７０１であって、受信されたデータブロックは１つ又は複数のパイロットブロックを含み、パイロットブロックは少なくとも２つの連続したパイロットシンボルを含む、受信ユニット１７０１と、受信ユニット１７０１によって受信されたデータブロック内の１つ又は複数のパイロットブロックの位置を確定し、受信されたデータブロック内の１つ又は複数のパイロットブロックの位置に対応する位相雑音値を推定し、受信されたデータブロック内の１つ又は複数のパイロットブロックの位置に対応する位相雑音値に基づいて、受信されたデータブロックの複数のデータに対して位相雑音補償を行うように構成された処理ユニット１７０２とを含む。
【０１７３】
処理ユニット１７０２は具体的に、受信されたデータブロック内の１つ又は複数のパイロットブロックの位置を送信機と合意した方式で確定するか、又は、受信されたデータブロックの長さ、パイロットブロックの数、及びパイロットブロックに含まれるパイロットシンボルの数を用いて、事前合意された式に従って、受信されたデータブロック内の１つ又は複数のパイロットブロックの位置を計算するように構成されることが好ましい。
【０１７４】
処理ユニット１７０２は具体的に、補間アルゴリズムを用いて、且つ受信されたデータブロック内の１つ又は複数のパイロットブロックの位置に対応する位相雑音値に基づいて、受信されたデータブロックの複数のデータの位置に対応する位相雑音値を推定し、受信されたデータブロックの複数のデータの位置に対応する推定位相雑音値に基づいて、受信されたデータブロックの複数のデータに対して位相雑音補償を行うように構成されることが好ましい。
【０１７５】
処理ユニット１７０２は具体的に、加重平均化アルゴリズムを用いて、受信されたデータブロック内の１つ又は複数のパイロットブロックの位置に対応する位相雑音値を推定するように構成されることが好ましい。
【０１７６】
同じ技術的考えに基づいて、図１８は、本発明の一実施形態による信号伝送装置の構造を示す。本装置は、信号伝送手順を実行することができ、基地局又は端末であってよい。
【０１７７】
図１８に示すように、本装置は具体的に、パイロットブロック構成方式情報を含むパイロットブロック構成情報を確定し、パイロットブロック構成方式情報に基づいて、１つ又は複数のパイロットブロックを送信予定のデータブロックに挿入するように構成された処理ユニット１８０１と、１つ又は複数のパイロットブロックが処理ユニット１８０１によって挿入された送信予定のデータブロックを送信するように構成された送信ユニット１８０２とを含む。
【０１７８】
処理ユニット１８０１は具体的に、現在の期間に対応する雑音レベル情報を取得し、雑音レベル情報に基づいてパイロットブロック構成情報を確定するように構成されることが好ましい。
【０１７９】
本装置はさらに受信ユニット１８０３を含み、受信ユニット１８０３は受信機によって送信された雑音レベル情報を受信するように構成されるか、又は、受信ユニット１８０３は受信機によって送信されたデータブロックを受信するように構成され、処理ユニット１８０１はさらに、受信ユニット１８０３によって受信されたデータブロックに対して雑音レベル推定を行い、雑音レベル情報を確定するように構成されることが好ましい。
【０１８０】
雑音レベル情報は加法性白色雑音情報及び乗法性位相雑音情報を含み、処理ユニット１８０１は具体的に、加法性白色雑音情報が前回取得された加法性白色雑音情報より多いか若しくは乗法性位相雑音情報が前回取得された乗法性位相雑音情報より少ない場合、送信予定のデータブロック内の各パイロットブロックに含まれるパイロットシンボルの数を増加させるか若しくはパイロットブロックの数を減少させる、又は、加法性白色雑音情報が前回取得された加法性白色雑音情報より少ないか若しくは乗法性位相雑音情報が前回取得された乗法性位相雑音情報より多い場合、送信予定のデータブロック内の各パイロットブロックに含まれるパイロットシンボルの数を減少させるか若しくはパイロットブロックの数を増加させるように構成されることが好ましい。
【０１８１】
送信ユニット１８０２はさらに、雑音レベル情報が取得される前に、事前合意されたトレーニングシーケンスを受信機に送信するように構成され、その結果、受信機は事前合意されたトレーニングシーケンスに基づいて雑音レベル推定を行うことが好ましい。
【０１８２】
パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含むことが好ましい。
【０１８３】
処理ユニット１８０１は具体的に、送信予定のデータブロックの長さ、パイロットブロックの数、及びパイロットブロック内のパイロットシンボルの数を用いて、事前合意された式に従って、送信予定のデータブロック内のパイロットブロックの位置を計算するか、又は、送信予定のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従ってパイロットブロックの位置を計算し、パイロットブロックの位置に基づいて１つ又は複数のパイロットブロックを送信予定のデータブロックに挿入するように構成されることが好ましい。
【０１８４】
パイロットブロック構成情報が確定された後に、送信ユニット１８０２はさらに、パイロットブロック構成情報を受信機に送信するように構成されるか、又は、処理ユニット１８０１はさらに、パイロットブロック構成情報に基づいて、事前設定されたシーケンス若しくは変調コンスタレーションダイアグラムにパイロットブロックを設定するように構成されることが好ましい。
【０１８５】
同じ発明思想に基づいて、図１９は、本発明の一実施形態による信号伝送装置の構造を示す。本装置は、信号伝送手順を実行することができ、基地局又は端末であってよい。
【０１８６】
図１９に示すように、本装置は具体的に、送信機によって送信された第１のデータブロックを受信するように構成された受信ユニット１９０１と、パイロットブロック構成方式情報を含むパイロットブロック構成情報を確定し、パイロットブロック構成方式情報に基づいて、第１のデータブロック内の１つ又は複数のパイロットブロックの位置に対応する位相雑音値を推定し、第１のデータブロック内の１つ又は複数のパイロットブロックの位置に対応する位相雑音値に基づいて、第１のデータブロックの複数のデータに対して位相雑音補償を行うように構成された処理ユニット１９０２とを含む。
【０１８７】
本装置はさらに送信ユニット１９０３を含み、送信機によって送信された第１のデータブロックと第１のデータブロック内のパイロットブロック構成情報とを受信する前に、受信ユニット１９０１はさらに、送信機によって送信された第２のデータブロックを受信するように構成され、処理ユニット１９０２はさらに、第２のデータブロックに対して復調及び雑音レベル推定を行い、第２のデータブロックの雑音レベル情報を取得するように構成され、送信ユニット１９０３は雑音レベル情報を送信機に送信するように構成されることが好ましい。
【０１８８】
処理ユニット１９０２は具体的に、第２のデータブロックが事前合意されたトレーニングシーケンスである場合、受信された第２のデータブロックを用いて雑音レベル推定を行うか、又は、第２のデータブロックが未知のデータである場合、軟判定復号又は硬判定復号の後に再構築される送信予定のデータブロックと第２のデータブロックとに基づいて、第２のデータブロックに対して雑音レベル推定を行うように構成されることが好ましい。
【０１８９】
パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含むことが好ましい。
【０１９０】
処理ユニット１９０２は具体的に、パイロットブロック構成方式情報がパイロットブロックの数とパイロットブロックに含まれるパイロットシンボルの数とを含む場合、第１のデータブロックの長さ、パイロットブロックの数、及びパイロットブロック内のパイロットシンボルの数を用いて、事前合意された式に従って第１のデータブロック内のパイロットブロックの位置を計算し、１つ又は複数のパイロットブロックの位置に対応する位相雑音レベルを推定するか、又は、パイロットブロック構成方式情報がパイロットブロックの数のオフセット値とパイロットブロックに含まれるパイロットシンボルの数のオフセット値とを含む場合、第１のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従って第１のデータブロック内のパイロットブロックの位置を計算し、１つ又は複数のパイロットブロックの位置に対応する位相雑音レベルを推定するように構成されることが好ましい。
【０１９１】
処理ユニット１９０２は具体的に、送信機によって送信されたパイロットブロック構成情報を取得するか、又は第１のデータブロック内の事前設定されたシーケンス若しくは変調コンスタレーションダイアグラムに基づいて、パイロットブロック構成情報を確定するように構成されることが好ましい。
【０１９２】
同じ考えに基づいて図２０を参照すると、図２０は、本発明の一実施形態による信号伝送デバイス２０００を示す。信号伝送デバイス２０００は、前述の実施形態の送信機によって実現される各段階又は実施される機能を実行してもよい。信号伝送デバイス２０００は、送受信機２００１と、プロセッサ２００２と、メモリ２００３とを含んでよい。プロセッサ２００２は、信号伝送デバイス２０００のオペレーションを制御するように構成される。メモリ２００３は、リードオンリメモリ及びランダムアクセスメモリを含み、プロセッサ２００２によって実行可能な命令及びデータを格納してよい。メモリ２００３の一部はさらに、不揮発性ランダムアクセスメモリ（ＮＶＲＡＭ）を含んでよい。送受信機２００１、プロセッサ２００２、及びメモリ２００３などのコンポーネントがバス２００９によって接続される。バス２００９は、データバスに加えて、電力バス、制御バス、及びステータス信号バスを含んでよい。しかしながら、明確にするために、様々なバスがバス２００９として図中に表示されている。
【０１９３】
本発明の実施形態において開示された信号伝送方法は、プロセッサ２００２に適用されるか、又はプロセッサ２００２によって実現されてもよい。実装プロセスにおいて、処理手順の各段階はプロセッサ２００２のハードウェアの集積論理回路によって又はソフトウェア命令によって達成されてよい。プロセッサ２００２は、汎用プロセッサ、デジタル信号プロセッサ、特定用途向け集積回路、フィールドプログラマブルゲートアレイ若しくは別のプログラム可能型ロジックデバイス、ディスクリートゲート若しくはトランジスタロジックデバイス、又はディスクリートハードウェアコンポーネントであってよく、本発明の実施形態において開示された方法、段階、及び論理ブロック図を実現又は実行することができる。汎用プロセッサは、マイクロプロセッサ、又は任意の従来のプロセッサなどであってよい。本発明の実施形態に関連して開示された方法の各段階は、ハードウェアプロセッサによって直接実現されてよく、又は、プロセッサのハードウェアとソフトウェアモジュールとの組み合わせによって実現されてもよい。ソフトウェアモジュールは、ランダムアクセスメモリ、フラッシュメモリ、リードオンリメモリ、プログラム可能型リードオンリメモリ、電気的消去可能プログラム可能型メモリ、又はレジスタなどの、当技術分野において成熟した記憶媒体に配置されてよい。記憶媒体はメモリ２００３に配置される。プロセッサ２００２は、メモリ２００３に格納された情報を読み出し、プロセッサ２００２のハードウェアと組み合わせて信号伝送方法の各段階を実現する。
【０１９４】
プロセッサ２００２は、複数のデータを含む送信予定のデータブロックを取得し、取得された送信予定のデータブロックの複数のデータの間に１つ又は複数のパイロットブロックを合意位置に基づいて挿入し、パイロットブロックは少なくとも２つの連続したパイロットシンボルを含む。送受信機２００１は、１つ又は複数のパイロットブロックがプロセッサ２００２によって挿入された送信予定のデータブロックを送信する。
【０１９５】
合意位置は送信機及び受信機によって事前合意された位置であるか、又は合意位置は、送信予定のデータブロックの長さ、パイロットブロックの数、及びパイロットブロック内のパイロットシンボルの数を用いて、事前合意された式に従って送信機によって計算されることが好ましい。
【０１９６】
同じ考えに基づいて図２１を参照すると、図２１は、本発明の一実施形態による信号伝送デバイス２１００を示す。信号伝送デバイス２１００は、前述の実施形態の受信機によって実現される各段階又は実施される機能を実行してもよい。信号伝送デバイス２１００は、送受信機２１０１と、プロセッサ２１０２と、メモリ２１０３とを含んでよい。プロセッサ２１０２は、信号伝送デバイス２１００のオペレーションを制御するように構成される。メモリ２１０３は、リードオンリメモリ及びランダムアクセスメモリを含み、プロセッサ２１０２によって実行可能な命令及びデータを格納してよい。メモリ２１０３の一部はさらに、不揮発性ランダムアクセスメモリ（ＮＶＲＡＭ）を含んでよい。送受信機２１０１、プロセッサ２１０２、及びメモリ２１０３などのコンポーネントがバス２１０９によって接続される。バス２１０９は、データバスに加えて、電力バス、制御バス、及びステータス信号バスを含んでよい。しかしながら、明確にするために、様々なバスがバス２１０９として図中に表示されている。
【０１９７】
本発明の実施形態において開示された信号伝送方法は、プロセッサ２１０２に適用されるか、又はプロセッサ２１０２によって実現されてもよい。実装プロセスにおいて、処理手順の各段階はプロセッサ２１０２のハードウェアの集積論理回路によって又はソフトウェア命令によって達成されてよい。プロセッサ２１０２は、汎用プロセッサ、デジタル信号プロセッサ、特定用途向け集積回路、フィールドプログラマブルゲートアレイ若しくは別のプログラム可能型ロジックデバイス、ディスクリートゲート若しくはトランジスタロジックデバイス、又はディスクリートハードウェアコンポーネントであってよく、本発明の実施形態において開示された方法、段階、及び論理ブロック図を実現又は実行することができる。汎用プロセッサは、マイクロプロセッサ、又は任意の従来のプロセッサなどであってよい。本発明の実施形態に関連して開示された方法の各段階は、ハードウェアプロセッサによって直接実現されてよく、又は、プロセッサのハードウェアとソフトウェアモジュールとの組み合わせによって実現されてもよい。ソフトウェアモジュールは、ランダムアクセスメモリ、フラッシュメモリ、リードオンリメモリ、プログラム可能型リードオンリメモリ、電気的消去可能プログラム可能型メモリ、又はレジスタなどの、当技術分野において成熟した記憶媒体に配置されてよい。記憶媒体はメモリ２１０３に配置される。プロセッサ２１０２は、メモリ２１０３に格納された情報を読み出し、プロセッサ２１０２のハードウェアと組み合わせて信号伝送方法の各段階を実現する。
【０１９８】
送受信機２１０１は送信機によって送信されたデータブロックを受信し、受信されたデータブロックは１つ又は複数のパイロットブロックを含み、パイロットブロックは少なくとも２つの連続したパイロットシンボルを含む。プロセッサ２１０２は、送受信機２１０１によって受信されたデータブロック内の１つ又は複数のパイロットブロックの位置を確定し、受信されたデータブロック内の１つ又は複数のパイロットブロックの位置に対応する位相雑音値を推定し、受信されたデータブロック内の１つ又は複数のパイロットブロックの位置に対応する位相雑音値に基づいて、受信されたデータブロックの複数のデータに対して位相雑音補償を行う。
【０１９９】
プロセッサ２１０２は、受信されたデータブロック内の１つ又は複数のパイロットブロックの位置を送信機と合意した方式で確定するか、又は、プロセッサ２１０２は、受信されたデータブロックの長さ、パイロットブロックの数、及びパイロットブロックに含まれるパイロットシンボルの数を用いて、事前合意された式に従って、受信されたデータブロック内の１つ又は複数のパイロットブロックの位置を計算することが好ましい。
【０２００】
プロセッサ２１０２は、補間アルゴリズムを用いて、且つ受信されたデータブロック内の１つ又は複数のパイロットブロックの位置に対応する位相雑音値に基づいて、受信されたデータブロックの複数のデータの位置に対応する位相雑音値を推定し、受信されたデータブロックの複数のデータの位置に対応する推定位相雑音値に基づいて、受信されたデータブロックの複数のデータに対して位相雑音補償を行うことが好ましい。
【０２０１】
プロセッサ２１０２は、加重平均化アルゴリズムを用いて、受信されたデータブロック内の１つ又は複数のパイロットブロックの位置に対応する位相雑音値を推定することが好ましい。
【０２０２】
同じ考えに基づいて図２２を参照すると、図２２は、本発明の一実施形態による信号伝送デバイス２２００を示す。信号伝送デバイス２２００は、前述の実施形態の送信機によって実現される各段階又は実施される機能を実行してもよい。信号伝送デバイス２２００は、送受信機２２０１と、プロセッサ２２０２と、メモリ２２０３とを含んでよい。プロセッサ２２０２は、信号伝送デバイス２２００のオペレーションを制御するように構成される。メモリ２２０３は、リードオンリメモリ及びランダムアクセスメモリを含み、プロセッサ２２０２によって実行可能な命令及びデータを格納してよい。メモリ２２０３の一部はさらに、不揮発性ランダムアクセスメモリ（ＮＶＲＡＭ）を含んでよい。送受信機２２０１、プロセッサ２２０２、及びメモリ２２０３などのコンポーネントがバス２２０９によって接続される。バス２２０９は、データバスに加えて、電力バス、制御バス、及びステータス信号バスを含んでよい。しかしながら、明確にするために、様々なバスがバス２２０９として図中に表示されている。
【０２０３】
本発明の実施形態において開示された信号伝送方法は、プロセッサ２２０２に適用されるか、又はプロセッサ２２０２によって実現されてもよい。実装プロセスにおいて、処理手順の各段階はプロセッサ２２０２のハードウェアの集積論理回路によって又はソフトウェア命令によって達成されてよい。プロセッサ２２０２は、汎用プロセッサ、デジタル信号プロセッサ、特定用途向け集積回路、フィールドプログラマブルゲートアレイ若しくは別のプログラム可能型ロジックデバイス、ディスクリートゲート若しくはトランジスタロジックデバイス、又はディスクリートハードウェアコンポーネントであってよく、本発明の実施形態において開示された方法、段階、及び論理ブロック図を実現又は実行することができる。汎用プロセッサは、マイクロプロセッサ、又は任意の従来のプロセッサなどであってよい。本発明の実施形態に関連して開示された方法の各段階は、ハードウェアプロセッサによって直接実現されてよく、又は、プロセッサのハードウェアとソフトウェアモジュールとの組み合わせによって実現されてもよい。ソフトウェアモジュールは、ランダムアクセスメモリ、フラッシュメモリ、リードオンリメモリ、プログラム可能型リードオンリメモリ、電気的消去可能プログラム可能型メモリ、又はレジスタなどの、当技術分野において成熟した記憶媒体に配置されてよい。記憶媒体はメモリ２２０３に配置される。プロセッサ２２０２は、メモリ２２０３に格納された情報を読み出し、プロセッサ２２０２のハードウェアと組み合わせて信号伝送方法の各段階を実現する。
【０２０４】
プロセッサ２２０２は、パイロットブロック構成方式情報を含むパイロットブロック構成情報を確定し、パイロットブロック構成方式情報に基づいて１つ又は複数のパイロットブロックを送信予定のデータブロックに挿入する。送受信機２２０１は、プロセッサ２２０２によって確定されたパイロットブロック構成情報と、１つ又は複数のパイロットブロックが挿入された送信予定のデータブロックとを送信する。
【０２０５】
プロセッサ２２０２は、現在の期間に対応する雑音レベル情報を取得し、雑音レベル情報に基づいてパイロットブロック構成情報を確定することが好ましい。
【０２０６】
送受信機２２０１は、受信機によって送信された雑音レベル情報を受信するか、又は送受信機２２０１は受信機によって送信されたデータブロックを受信し、プロセッサ２２０２は、受信されたデータブロックに対して雑音レベル推定を行い、雑音レベル情報を確定することが好ましい。
【０２０７】
雑音レベル情報は加法性白色雑音情報及び乗法性位相雑音情報を含み、加法性白色雑音情報が前回取得された加法性白色雑音情報より多いか若しくは乗法性位相雑音情報が前回取得された乗法性位相雑音情報より少ない場合、プロセッサ２２０２は、送信予定のデータブロック内の各パイロットブロックに含まれるパイロットシンボルの数を増加させるか若しくはパイロットブロックの数を減少させる、又は、加法性白色雑音情報が前回取得された加法性白色雑音情報より少ないか若しくは乗法性位相雑音情報が前回取得された乗法性位相雑音情報より多い場合、プロセッサ２２０２は、送信予定のデータブロック内の各パイロットブロックに含まれるパイロットシンボルの数を減少させるか若しくはパイロットブロックの数を増加させることが好ましい。
【０２０８】
雑音レベル情報が取得される前に、送受信機２２０１は事前合意されたトレーニングシーケンスを受信機に送信し、その結果、受信機は事前合意されたトレーニングシーケンスに基づいて雑音レベル推定を行うことが好ましい。
【０２０９】
パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含むことが好ましい。
【０２１０】
プロセッサ２２０２は、送信予定のデータブロックの長さ、パイロットブロックの数、及びパイロットブロック内のパイロットシンボルの数を用いて、事前合意された式に従って、データブロック内のパイロットブロックの位置を計算するか、又は、送信予定のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従ってパイロットブロックの位置を計算し、パイロットブロックの位置に基づいて１つ又は複数のパイロットブロックを送信予定のデータブロックに挿入することが好ましい。
【０２１１】
パイロットブロック構成情報を確定した後に、送受信機２２０１はパイロットブロック構成情報を受信機に送信するか、又はプロセッサ２２０２は、パイロットブロック構成情報に基づいて、事前設定されたシーケンス若しくは変調コンスタレーションダイアグラムにパイロットブロックを設定することが好ましい。
【０２１２】
同じ考えに基づいて図２３を参照すると、図２３は、本発明の一実施形態による信号伝送デバイス２３００を示す。信号伝送デバイス２３００は、前述の実施形態の受信機によって実現される各段階又は実施される機能を実行してもよい。信号伝送デバイス２３００は、送受信機２３０１と、プロセッサ２３０２と、メモリ２３０３とを含んでよい。プロセッサ２３０２は、信号伝送デバイス２３００のオペレーションを制御するように構成される。メモリ２３０３は、リードオンリメモリ及びランダムアクセスメモリを含み、プロセッサ２３０２によって実行可能な命令及びデータを格納してよい。メモリ２３０３の一部はさらに、不揮発性ランダムアクセスメモリ（ＮＶＲＡＭ）を含んでよい。送受信機２３０１、プロセッサ２３０２、及びメモリ２３０３などのコンポーネントがバス２３０９によって接続される。バス２３０９は、データバスに加えて、電力バス、制御バス、及びステータス信号バスを含んでよい。しかしながら、明確にするために、様々なバスがバス２３０９として図中に表示されている。
【０２１３】
本発明の実施形態において開示された信号伝送方法は、プロセッサ２３０２に適用されるか、又はプロセッサ２３０２によって実現されてもよい。実装プロセスにおいて、処理手順の各段階はプロセッサ２３０２のハードウェアの集積論理回路によって又はソフトウェア命令によって達成されてよい。プロセッサ２３０２は、汎用プロセッサ、デジタル信号プロセッサ、特定用途向け集積回路、フィールドプログラマブルゲートアレイ若しくは別のプログラム可能型ロジックデバイス、ディスクリートゲート若しくはトランジスタロジックデバイス、又はディスクリートハードウェアコンポーネントであってよく、本発明の実施形態において開示された方法、段階、及び論理ブロック図を実現又は実行することができる。汎用プロセッサは、マイクロプロセッサ、又は任意の従来のプロセッサなどであってよい。本発明の実施形態に関連して開示された方法の各段階は、ハードウェアプロセッサによって直接実現されてよく、又は、プロセッサのハードウェアとソフトウェアモジュールとの組み合わせによって実現されてもよい。ソフトウェアモジュールは、ランダムアクセスメモリ、フラッシュメモリ、リードオンリメモリ、プログラム可能型リードオンリメモリ、電気的消去可能プログラム可能型メモリ、又はレジスタなどの、当技術分野において成熟した記憶媒体に配置されてよい。記憶媒体はメモリ２３０３に配置される。プロセッサ２３０２は、メモリ２３０３に格納された情報を読み出し、プロセッサ２３０２のハードウェアと組み合わせて信号伝送方法の各段階を実現する。
【０２１４】
送受信機２３０１は、送信機によって送信された第１のデータブロックと第１のデータブロック内のパイロットブロック構成情報とを受信する。プロセッサ２３０２は、パイロットブロック構成方式情報を含むパイロットブロック構成情報を確定し、パイロットブロック構成方式情報に基づいて、第１のデータブロック内の１つ又は複数のパイロットブロックの位置に対応する位相雑音値を推定し、第１のデータブロック内の１つ又は複数のパイロットブロックの位置に対応する位相雑音値に基づいて、第１のデータブロックの複数のデータに対して位相雑音補償を行う。
【０２１５】
送信機によって送信された第１のデータブロックと第１のデータブロック内のパイロットブロック構成情報とを受信する前に、送受信機２３０１は送信機によって送信された第２のデータブロックを受信し、プロセッサ２３０２は、第２のデータブロックに対して復調及び雑音レベル推定を行い、第２のデータブロックの雑音レベル情報を取得し、送受信機２３０１は雑音レベル情報を送信機に送信することが好ましい。
【０２１６】
第２のデータブロックが事前合意されたトレーニングシーケンスである場合、プロセッサ２３０２は、受信された第２のデータブロックを用いて雑音レベル推定を行うか、又は、第２のデータブロックが未知のデータである場合、プロセッサ２３０２は、軟判定復号又は硬判定復号の後に再構築される送信予定のデータブロックと第２のデータブロックとに基づいて、第２のデータブロックに対して雑音レベル推定を行うことが好ましい。
【０２１７】
パイロットブロック構成方式情報は、パイロットブロック構成方式の番号、又はパイロットブロックの数及びパイロットブロックに含まれるパイロットシンボルの数、又はパイロットブロックの数のオフセット値及びパイロットブロックに含まれるパイロットシンボルの数のオフセット値を含むことが好ましい。
【０２１８】
パイロットブロック構成方式情報がパイロットブロックの数とパイロットブロックに含まれるパイロットシンボルの数とを含む場合、プロセッサ２３０２は、第１のデータブロックの長さ、パイロットブロックの数、及びパイロットブロック内のパイロットシンボルの数を用いて、事前合意された式に従って第１のデータブロック内のパイロットブロックの位置を計算し、１つ又は複数のパイロットブロックの位置に対応する位相雑音レベルを推定するか、又は、パイロットブロック構成方式情報がパイロットブロックの数のオフセット値とパイロットブロックに含まれるパイロットシンボルの数のオフセット値とを含む場合、プロセッサ２３０２は、第１のデータブロックの長さ、パイロットブロックの数のオフセット値、パイロットブロックに含まれるパイロットシンボルの数のオフセット値、並びに前回受信されたパイロットブロック構成情報内にあるパイロットブロックの数及びパイロットブロックに含まれるパイロットシンボルの数を用いて、事前合意された式に従って第１のデータブロック内のパイロットブロックの位置を計算し、１つ又は複数のパイロットブロックの位置に対応する位相雑音レベルを推定することが好ましい。
【０２１９】
プロセッサ２３０２は、送信機によって送信されたパイロットブロック構成情報を取得するか、又はプロセッサ２３０２は、第１のデータブロック内の事前設定されたシーケンス若しくは変調コンスタレーションダイアグラムに基づいて、パイロットブロック構成情報を確定することが好ましい。
【０２２０】
当業者であれば、本発明の実施形態が方法又はコンピュータプログラム製品として提供され得ることを理解するはずである。したがって、本発明は、ハードウェアのみの実施形態、ソフトウェアのみの実施形態、又はソフトウェアとハードウェアとの組み合わせによる実施形態の形を用いてよい。さらに、本発明は、コンピュータ使用可能プログラムコードを含む１つ又は複数のコンピュータ使用可能記憶媒体（限定されないが、磁気ディスク記憶装置、ＣＤ−ＲＯＭ、及び光メモリなどを含む）で実現されるコンピュータプログラム製品の形を用いてもよい。
【０２２１】
本発明は、本発明の実施形態による方法、デバイス（システム）、及びコンピュータプログラム製品のフローチャート及び／又はブロック図を参照して説明されている。コンピュータプログラム命令は、フローチャート及び／又はブロック図の各工程及び／又は各ブロック、並びにフローチャート及び／又はブロック図の工程及び／又はブロックの組み合わせを実現するのに用いられてよいことを理解されたい。これらのコンピュータプログラム命令は、汎用コンピュータ、専用コンピュータ、組み込みプロセッサ、又は任意の他のプログラム可能型データ処理デバイスのプロセッサに提供されて機械を生み出すことができ、その結果、コンピュータ又は任意の他のプログラム可能型データ処理デバイスのプロセッサによって実行される命令は、フローチャートの１つ又は複数の工程及び／又はブロック図の１つ又は複数のブロックにおける特定の機能を実現するための装置を生み出す。
【０２２２】
コンピュータ又は任意の他のプログラム可能型データ処理デバイスに特定の方式で機能するよう命令できるこれらのコンピュータプログラム命令もコンピュータ可読メモリに格納されてよく、その結果、コンピュータ可読メモリに格納された命令は命令装置を含む製品を生み出す。命令装置は、フローチャートの１つ又は複数の工程及び／又はブロック図の１つ又は複数のブロックにおける特定の機能を実現する。
【０２２３】
これらのコンピュータプログラム命令は、コンピュータ又は別のプログラム可能型データ処理デバイスに読み込まれてもよく、その結果、一連のオペレーション及び段階がコンピュータ又は別のプログラム可能型デバイスで行われ、これにより、コンピュータ実装処理が生み出される。したがって、コンピュータ又は別のプログラム可能型デバイスで実行される命令は、フローチャートの１つ又は複数の工程及び／又はブロック図の１つ又は複数のブロックにおける特定の機能を実現するための段階を提供する。
【０２２４】
本発明のいくつかの好適な実施形態が説明されてきたが、当業者であれば、基本的な発明概念を理解すると、これらの実施形態に対して変更及び修正を施すことができる。したがって、以下の特許請求の範囲は、これらの好適な実施形態、並びに本発明の範囲に含まれるあらゆる変更及び修正を包含するものと解釈されることが意図されている。
【０２２５】
当業者であれば、本発明の意図及び範囲から逸脱することなく、本発明に様々な修正及び変形を施し得ることは明らかである。本発明は、以下の特許請求の範囲及びそれらの等価技術によって定められる保護範囲にこれらの修正及び変形が含まれるという条件で、これらの修正及び変形を包含することが意図されている。
【図１】
2019523585.tif 000005
【図２】
2019523585.tif 000006
【図３】
2019523585.tif 000007
【図４】
2019523585.tif 000008
【図５】
2019523585.tif 000009
【図６】
2019523585.tif 000010
【図７】
2019523585.tif 000011
【図８】
2019523585.tif 000012
【図９】
2019523585.tif 000013
【図１０】
2019523585.tif 000014
【図１１】
2019523585.tif 000015
【図１２Ａ】
2019523585.tif 000016
【図１２Ｂ】
2019523585.tif 000017
【図１３】
2019523585.tif 000018
【図１４】
2019523585.tif 000019
【図１５】
2019523585.tif 000020
【図１６】
2019523585.tif 000021
【図１７】
2019523585.tif 000022
【図１８】
2019523585.tif 000023
【図１９】
2019523585.tif 000024
【図２０】
2019523585.tif 000025
【図２１】
2019523585.tif 000026
【図２２】
2019523585.tif 000027
【図２３】
2019523585.tif 000028
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
信号伝送方法であって、
パイロットブロック構成情報を送信機によって確定する段階であって、前記パイロットブロック構成情報はパイロットブロック構成方式情報を含む、段階と、
前記パイロットブロック構成方式情報に基づいて、送信予定のデータブロックに１つ又は複数のパイロットブロックを前記送信機によって挿入する段階と、
前記１つ又は複数のパイロットブロックが挿入された前記送信予定のデータブロックを前記送信機によって送信する段階と
を備える、方法。
【請求項２】
前記パイロットブロック構成方式情報は、前記１つ又は複数のパイロットブロックの数及び各パイロットブロックに含まれるパイロットシンボルの数を含む、請求項１に記載の方法。
【請求項３】
前記パイロットブロック構成方式情報に基づいて、前記送信予定のデータブロックに前記１つ又は複数のパイロットブロックを前記送信機によって挿入する前記段階は、
前記１つ又は複数のパイロットブロックが挿入された前記送信予定のデータブロックの長さ、前記１つ又は複数のパイロットブロックの前記数、及び各パイロットブロック内のパイロットシンボルの前記数を用いて、事前合意された式に従って、前記送信予定のデータブロック内の前記１つ又は複数のパイロットブロックの位置を前記送信機によって計算する段階と、
前記１つ又は複数のパイロットブロックの前記位置に基づいて、前記送信予定のデータブロックに前記１つ又は複数のパイロットブロックを前記送信機によって挿入する段階と
を含む、請求項２に記載の方法。
【請求項４】
各パイロットブロックは少なくとも２つの連続したパイロットシンボルを含む、請求項１から３のいずれか一項に記載の方法。
【請求項５】
前記パイロットブロック構成情報を送信機によって確定する前記段階の後に、
前記パイロットブロック構成情報を前記送信機によって受信機に送信する段階か、又は、
前記パイロットブロック構成情報に基づいて、事前設定されたシーケンス若しくは変調コンスタレーションダイアグラムに各パイロットブロックを前記送信機によって設定する段階をさらに備える、請求項１に記載の方法。
【請求項６】
信号伝送方法であって、
送信予定のデータブロックを送信機によって取得する段階であって、前記送信予定のデータブロックは複数のデータを含む、段階と、
前記送信予定のデータブロックの前記複数のデータの間に１つ又は複数のパイロットブロックを合意位置に基づいて前記送信機によって挿入する段階であって、各パイロットブロックは少なくとも２つの連続したパイロットシンボルを含む、段階と、
前記１つ又は複数のパイロットブロックが挿入された前記送信予定のデータブロックを前記送信機によって送信する段階と
を備える、方法。
【請求項７】
前記合意位置は、前記送信機及び受信機によって事前合意された位置であるか、又は、
前記合意位置は、前記１つ又は複数のパイロットブロックが挿入された前記送信予定のデータブロックの長さ、前記１つ又は複数のパイロットブロックの数、及び各パイロットブロック内のパイロットシンボルの数を用いて、事前合意された式に従って前記送信機によって計算される、請求項６に記載の方法。
【請求項８】
信号伝送方法であって、
送信機によって送信されたデータブロックを受信機によって受信する段階であって、前記受信されたデータブロックは１つ又は複数のパイロットブロックを含み、各パイロットブロックは少なくとも２つの連続したパイロットシンボルを含む、段階と、
前記受信されたデータブロック内の前記１つ又は複数のパイロットブロックの位置を前記受信機によって確定し、前記受信されたデータブロック内の前記１つ又は複数のパイロットブロックの前記位置に対応する位相雑音値を推定する段階と、
前記受信されたデータブロック内の前記１つ又は複数のパイロットブロックの前記位置に対応する前記位相雑音値に基づいて、前記受信されたデータブロックの複数のデータに対して位相雑音補償を前記受信機によって行う段階と
を備える、方法。
【請求項９】
前記受信されたデータブロック内の前記１つ又は複数のパイロットブロックの前記位置を前記受信機によって確定する前記段階は、
前記受信されたデータブロック内の前記１つ又は複数のパイロットブロックの前記位置を前記送信機と合意した方式に基づいて前記受信機によって確定する段階か、又は、
前記受信されたデータブロックの長さ、前記１つ又は複数のパイロットブロックの数、及び各パイロットブロックに含まれるパイロットシンボルの数を用いて、前記受信されたデータブロック内の前記１つ又は複数のパイロットブロックの前記位置を事前合意された式に従って前記受信機によって計算する段階を含む、請求項８に記載の方法。
【請求項１０】
信号伝送方法であって、
送信機から第１のデータブロックを受信機によって受信する段階と、
パイロットブロック構成情報を前記受信機によって確定する段階であって、前記パイロットブロック構成情報はパイロットブロック構成方式情報を含む、段階と、
前記パイロットブロック構成方式情報に基づいて、前記第１のデータブロック内の１つ又は複数のパイロットブロックの位置に対応する位相雑音値を前記受信機によって推定する段階と、
前記第１のデータブロック内の前記１つ又は複数のパイロットブロックの前記位置に対応する前記位相雑音値に基づいて、前記第１のデータブロックの複数のデータに対して位相雑音補償を前記受信機によって行う段階と
を備える、方法。
【請求項１１】
前記パイロットブロック構成方式情報は、前記１つ又は複数のパイロットブロックの数及び各パイロットブロックに含まれるパイロットシンボルの数を含む、請求項１０に記載の方法。
【請求項１２】
前記パイロットブロック構成方式情報に基づいて、前記第１のデータブロック内の前記１つ又は複数のパイロットブロックの前記位置に対応する前記位相雑音値を前記受信機によって推定する前記段階は、
前記第１のデータブロックの長さ、前記１つ又は複数のパイロットブロックの前記数、及び各パイロットブロック内のパイロットシンボルの前記数を用いて、事前合意された式に従って前記第１のデータブロック内の前記１つ又は複数のパイロットブロックの前記位置を前記受信機によって計算して、前記１つ又は複数のパイロットブロックの前記位置に対応する位相雑音レベルを推定する段階を含む、請求項１１に記載の方法。
【請求項１３】
各パイロットブロックは少なくとも２つの連続したパイロットシンボルを含む、請求項１０から１２のいずれか一項に記載の方法。
【請求項１４】
前記パイロットブロック構成情報を前記受信機によって確定する前記段階は、
前記送信機から前記パイロットブロック構成情報を前記受信機によって取得する段階か、又は、
前記第１のデータブロック内の事前設定されたシーケンス若しくは変調コンスタレーションダイアグラムに基づいて、前記パイロットブロック構成情報を前記受信機によって確定する段階を含む、請求項１０に記載の方法。
【請求項１５】
信号伝送装置であって、
複数のデータを含む送信予定のデータブロックを取得し、前記送信予定のデータブロックの前記複数のデータの間に１つ又は複数のパイロットブロックを合意位置に基づいて挿入するように構成された処理ユニットであって、各パイロットブロックは少なくとも２つの連続したパイロットシンボルを含む、処理ユニットと、
前記１つ又は複数のパイロットブロックが前記処理ユニットによって挿入された前記送信予定のデータブロックを送信するように構成された送信ユニットと
を備える、装置。
【請求項１６】
前記合意位置は、送信機及び受信機によって事前合意された位置であるか、又は、
前記合意位置は、前記１つ又は複数のパイロットブロックが前記処理ユニットによって挿入された前記送信予定のデータブロックの長さ、前記１つ又は複数のパイロットブロックの数、及び各パイロットブロック内のパイロットシンボルの数を用いて、事前合意された式に従って前記送信機によって計算される、請求項１５に記載の装置。
【請求項１７】
信号伝送装置であって、
送信機によって送信されたデータブロックを受信するように構成された受信ユニットであって、前記受信されたデータブロックは１つ又は複数のパイロットブロックを含み、各パイロットブロックは少なくとも２つの連続したパイロットシンボルを含む、受信ユニットと、
前記受信ユニットによって受信された前記データブロック内の前記１つ又は複数のパイロットブロックの位置を確定し、前記受信されたデータブロック内の前記１つ又は複数のパイロットブロックの前記位置に対応する位相雑音値を推定し、前記受信されたデータブロック内の前記１つ又は複数のパイロットブロックの前記位置に対応する前記位相雑音値に基づいて、前記受信されたデータブロックの複数のデータに対して位相雑音補償を行うように構成された処理ユニットと
を備える、装置。
【請求項１８】
前記処理ユニットは、
前記受信されたデータブロック内の前記１つ又は複数のパイロットブロックの前記位置を前記送信機と合意した方式で確定するか、又は、
前記受信されたデータブロックの長さ、前記１つ又は複数のパイロットブロックの数、及び各パイロットブロックに含まれるパイロットシンボルの数を用いて、事前合意された式に従って、前記受信されたデータブロック内の前記１つ又は複数のパイロットブロックの前記位置を計算する
ように構成される、請求項１７に記載の装置。
【請求項１９】
信号伝送装置であって、
パイロットブロック構成方式情報を含むパイロットブロック構成情報を確定し、前記パイロットブロック構成方式情報に基づいて、１つ又は複数のパイロットブロックを送信予定のデータブロックに挿入するように構成された処理ユニットと、
前記１つ又は複数のパイロットブロックが前記処理ユニットによって挿入された前記送信予定のデータブロックを送信するように構成された送信ユニットと
を備える、装置。
【請求項２０】
前記パイロットブロック構成方式情報は、前記１つ又は複数のパイロットブロックの数及び各パイロットブロックに含まれるパイロットシンボルの数を含む、請求項１９に記載の装置。
【請求項２１】
前記処理ユニットは、
前記１つ又は複数のパイロットブロックが挿入された前記送信予定のデータブロックの長さ、前記１つ又は複数のパイロットブロックの前記数、及び各パイロットブロック内のパイロットシンボルの前記数を用いて、事前合意された式に従って、前記送信予定のデータブロック内の前記１つ又は複数のパイロットブロックの位置を計算し、
前記１つ又は複数のパイロットブロックの前記位置に基づいて前記１つ又は複数のパイロットブロックを前記送信予定のデータブロックに挿入する
ように構成される、請求項２０に記載の装置。
【請求項２２】
各パイロットブロックは少なくとも２つの連続したパイロットシンボルを含む、請求項１９から２１のいずれか一項に記載の装置。
【請求項２３】
前記パイロットブロック構成情報が確定された後に、
前記送信ユニットはさらに、前記パイロットブロック構成情報を受信機に送信するように構成されるか、又は、
前記処理ユニットはさらに、前記パイロットブロック構成情報に基づいて、事前設定されたシーケンス若しくは変調コンスタレーションダイアグラムに各パイロットブロックを設定するように構成される、請求項１９に記載の装置。
【請求項２４】
信号伝送装置であって、
送信機によって送信された第１のデータブロックを受信するように構成された受信ユニットと、
パイロットブロック構成方式情報を含むパイロットブロック構成情報を確定し、前記パイロットブロック構成方式情報に基づいて、前記第１のデータブロック内の１つ又は複数のパイロットブロックの位置に対応する位相雑音値を推定し、前記第１のデータブロック内の前記１つ又は複数のパイロットブロックの前記位置に対応する前記位相雑音値に基づいて、前記第１のデータブロックの複数のデータに対して位相雑音補償を行うように構成された処理ユニットと
を備える、装置。
【請求項２５】
前記パイロットブロック構成方式情報は、前記１つ又は複数のパイロットブロックの数及び各パイロットブロックに含まれるパイロットシンボルの数を含む、請求項２４に記載の装置。
【請求項２６】
前記処理ユニットは、
前記第１のデータブロックの長さ、前記１つ又は複数のパイロットブロックの前記数、及び各パイロットブロック内のパイロットシンボルの前記数を用いて、事前合意された式に従って前記第１のデータブロック内の前記１つ又は複数のパイロットブロックの前記位置を計算し、前記１つ又は複数のパイロットブロックの前記位置に対応する位相雑音レベルを推定するように構成される、請求項２５に記載の装置。
【請求項２７】
各パイロットブロックは少なくとも２つの連続したパイロットシンボルを含む、請求項２４から２６のいずれか一項に記載の装置。
【請求項２８】
前記処理ユニットは、
前記送信機から前記パイロットブロック構成情報を取得するか、又は、
前記第１のデータブロック内の事前設定されたシーケンス若しくは変調コンスタレーションダイアグラムに基づいて、前記パイロットブロック構成情報を確定する
ように構成される、請求項２４に記載の装置。
【請求項２９】
請求項１から５のいずれか一項に記載の方法をコンピュータに実行させるための、プログラム。
【請求項３０】
請求項６又は７に記載の方法をコンピュータに実行させるための、プログラム。
【請求項３１】
請求項８又は９に記載の方法をコンピュータに実行させるための、プログラム。
【請求項３２】
請求項１０から１４のいずれか一項に記載の方法をコンピュータに実行させるための、プログラム。
【手続補正２】
【補正対象書類名】明細書
【補正対象項目名】００５８
【補正方法】変更
【補正の内容】
【００５８】
第９の態様によれば、信号伝送装置は、送受信機と、プロセッサと、メモリとを含み、送受信機は送信予定のデータブロックを取得するように構成され、送信予定のデータブロックは複数のデータを含み、プロセッサは、送受信機によって取得された送信予定のデータブロックの複数のデータの間に１つ又は複数のパイロットブロックを合意位置に基づいて挿入するように構成され、パイロットブロックは少なくとも２つの連続したパイロットシンボルを含み、送受信機は、１つ又は複数のパイロットブロックがプロセッサによって挿入された送信予定のデータブロックを送信する。
【手続補正３】
【補正対象書類名】明細書
【補正対象項目名】０２２５
【補正方法】変更
【補正の内容】
【０２２５】
当業者であれば、本発明の意図及び範囲から逸脱することなく、本発明に様々な修正及び変形を施し得ることは明らかである。本発明は、以下の特許請求の範囲及びそれらの等価技術によって定められる保護範囲にこれらの修正及び変形が含まれるという条件で、これらの修正及び変形を包含することが意図されている。
（項目１）
信号伝送方法であって、
送信予定のデータブロックを送信機によって取得する段階であって、上記送信予定のデータブロックは複数のデータを含む、段階と、
上記送信予定のデータブロックの上記複数のデータの間に１つ又は複数のパイロットブロックを合意位置に基づいて上記送信機によって挿入する段階であって、上記パイロットブロックは少なくとも２つの連続したパイロットシンボルを含む、段階と、
上記１つ又は複数のパイロットブロックが挿入された上記送信予定のデータブロックを上記送信機によって送信する段階と
を備える、方法。
（項目２）
上記合意位置は、上記送信機及び受信機によって事前合意された位置であるか、又は、
上記合意位置は、上記送信予定のデータブロックの長さ、上記パイロットブロックの数、及び上記パイロットブロック内のパイロットシンボルの数を用いて、事前合意された式に従って上記送信機によって計算される、項目１に記載の方法。
（項目３）
信号伝送方法であって、
送信機によって送信されたデータブロックを受信機によって受信する段階であって、上記受信されたデータブロックは１つ又は複数のパイロットブロックを含み、上記パイロットブロックは少なくとも２つの連続したパイロットシンボルを含む、段階と、
上記受信されたデータブロック内の上記１つ又は複数のパイロットブロックの位置を上記受信機によって確定し、上記受信されたデータブロック内の上記１つ又は複数のパイロットブロックの上記位置に対応する位相雑音値を推定する段階と、
上記受信されたデータブロック内の上記１つ又は複数のパイロットブロックの上記位置に対応する上記位相雑音値に基づいて、上記受信されたデータブロックの複数のデータに対して位相雑音補償を上記受信機によって行う段階と
を備える、方法。
（項目４）
上記受信されたデータブロック内の上記１つ又は複数のパイロットブロックの上記位置を上記受信機によって確定する上記段階は、
上記受信されたデータブロック内の上記１つ又は複数のパイロットブロックの上記位置を上記送信機と合意した方式に基づいて上記受信機によって確定する段階か、又は、
上記受信されたデータブロックの長さ、上記パイロットブロックの数、及び上記パイロットブロックに含まれるパイロットシンボルの数を用いて、上記受信されたデータブロック内の上記１つ又は複数のパイロットブロックの上記位置を事前合意された式に従って上記受信機によって計算する段階を含む、項目３に記載の方法。
（項目５）
信号伝送方法であって、
パイロットブロック構成情報を送信機によって確定する段階であって、上記パイロットブロック構成情報はパイロットブロック構成方式情報を含む、段階と、
上記パイロットブロック構成方式情報に基づいて、送信予定のデータブロックに１つ又は複数のパイロットブロックを上記送信機によって挿入する段階と、
上記１つ又は複数のパイロットブロックが挿入された上記送信予定のデータブロックを上記送信機によって送信する段階と
を備える、方法。
（項目６）
上記パイロットブロック構成情報を上記送信機によって確定する上記段階は、
現在の期間に対応する雑音レベル情報を上記送信機によって取得する段階と、
上記雑音レベル情報に基づいて上記パイロットブロック構成情報を上記送信機によって確定する段階と
を含む、項目５に記載の方法。
（項目７）
上記雑音レベル情報を上記送信機によって取得する上記段階は、
受信機によって送信された上記雑音レベル情報を上記送信機によって受信する段階、又は、
上記受信機によって送信されたデータブロックを上記送信機によって受信し、上記受信されたデータブロックに対して雑音レベル推定を行い、上記雑音レベル情報を確定する段階と
を含む、項目６に記載の方法。
（項目８）
上記雑音レベル情報は加法性白色雑音情報及び乗法性位相雑音情報を含み、
上記雑音レベル情報に基づいて上記パイロットブロック構成情報を上記送信機によって確定する上記段階は、
上記加法性白色雑音情報が前回取得された加法性白色雑音情報より多いか若しくは上記乗法性位相雑音情報が前回取得された乗法性位相雑音情報より少ない場合、上記送信機によって、上記送信予定のデータブロック内の各パイロットブロックに含まれるパイロットシンボルの数を増加させるか若しくは上記パイロットブロックの数を減少させる段階、又は、
上記加法性白色雑音情報が前回取得された加法性白色雑音情報より少ないか若しくは上記乗法性位相雑音情報が前回取得された乗法性位相雑音情報より多い場合、上記送信機によって、上記送信予定のデータブロック内の各パイロットブロックに含まれるパイロットシンボルの数を減少させるか若しくは上記パイロットブロックの数を増加させる段階を含む、項目６に記載の方法。
（項目９）
上記雑音レベル情報を上記送信機によって取得する上記段階の前に、
事前合意されたトレーニングシーケンスを上記送信機によって上記受信機に送信する段階をさらに備え、その結果、上記受信機は上記事前合意されたトレーニングシーケンスに基づいて雑音レベル推定を行う、項目６に記載の方法。
（項目１０）
上記パイロットブロック構成方式情報は、上記パイロットブロック構成方式の番号、又は上記パイロットブロックの数及び上記パイロットブロックに含まれるパイロットシンボルの数、又は上記パイロットブロックの数のオフセット値及び上記パイロットブロックに含まれるパイロットシンボルの数のオフセット値を含む、項目５に記載の方法。
（項目１１）
上記パイロットブロック構成方式情報に基づいて、上記送信予定のデータブロックに上記パイロットブロックを上記送信機によって挿入する上記段階は、
上記送信予定のデータブロックの長さ、上記パイロットブロックの上記数、及び上記パイロットブロック内のパイロットシンボルの上記数を用いて、事前合意された式に従って、上記送信予定のデータブロック内の上記パイロットブロックの位置を上記送信機によって計算する段階か、又は、上記送信予定のデータブロックの長さ、上記パイロットブロックの上記数の上記オフセット値、上記パイロットブロックに含まれるパイロットシンボルの上記数の上記オフセット値、並びに前回受信されたパイロットブロック構成情報内にあるパイロットブロックの数及びパイロットブロックに含まれるパイロットシンボルの数を用いて、事前合意された式に従って上記パイロットブロックの位置を上記送信機によって計算する段階と、
上記パイロットブロックの上記位置に基づいて、上記送信予定のデータブロックに上記１つ又は複数のパイロットブロックを上記送信機によって挿入する段階と
を含む、項目１０に記載の方法。
（項目１２）
上記パイロットブロック構成情報を送信機によって確定する上記段階の後に、
上記パイロットブロック構成情報を上記送信機によって上記受信機に送信する段階か、又は、
上記パイロットブロック構成情報に基づいて、事前設定されたシーケンス若しくは変調コンスタレーションダイアグラムに上記パイロットブロックを上記送信機によって設定する段階をさらに備える、項目５に記載の方法。
（項目１３）
信号伝送方法であって、
送信機によって送信された第１のデータブロックを受信機によって受信する段階と、
パイロットブロック構成情報を上記受信機によって確定する段階であって、上記パイロットブロック構成情報はパイロットブロック構成方式情報を含む、段階と、
上記パイロットブロック構成方式情報に基づいて、上記第１のデータブロック内の１つ又は複数のパイロットブロックの位置に対応する位相雑音値を上記受信機によって推定する段階と、
上記第１のデータブロック内の上記１つ又は複数のパイロットブロックの上記位置に対応する上記位相雑音値に基づいて、上記第１のデータブロックの複数のデータに対して位相雑音補償を上記受信機によって行う段階と
を備える、方法。
（項目１４）
上記送信機によって送信された上記第１のデータブロックと上記第１のデータブロック内の上記パイロットブロック構成情報とを上記受信機によって受信する上記段階の前に、
上記送信機によって送信された第２のデータブロックを上記受信機によって受信する段階と、
上記第２のデータブロックに対して復調及び雑音レベル推定を上記受信機によって行い、上記第２のデータブロックの雑音レベル情報を取得する段階と、
上記雑音レベル情報を上記受信機によって上記送信機に送信する段階と
をさらに備える、項目１３に記載の方法。
（項目１５）
上記第２のデータブロックに対して上記雑音レベル推定を上記受信機によって行う上記段階は、
上記第２のデータブロックが事前合意されたトレーニングシーケンスである場合、上記受信された第２のデータブロックを用いて上記雑音レベル推定を上記受信機によって行う段階か、又は、
上記第２のデータブロックが未知のデータである場合、軟判定復号又は硬判定復号の後に再構築される送信予定のデータブロックと上記第２のデータブロックとに基づいて、上記第２のデータブロックに対して上記雑音レベル推定を上記受信機によって行う段階を含む、項目１４に記載の方法。
（項目１６）
上記パイロットブロック構成方式情報は、上記パイロットブロック構成方式の番号、又は上記パイロットブロックの数及び上記パイロットブロックに含まれるパイロットシンボルの数、又は上記パイロットブロックの数のオフセット値及び上記パイロットブロックに含まれるパイロットシンボルの数のオフセット値を含む、項目１３に記載の方法。
（項目１７）
上記パイロットブロック構成方式情報に基づいて、上記第１のデータブロック内の上記１つ又は複数のパイロットブロックの上記位置に対応する上記位相雑音値を上記受信機によって推定する上記段階は、
上記パイロットブロック構成方式情報が上記パイロットブロックの上記数及び上記パイロットブロックに含まれるパイロットシンボルの上記数を含む場合、上記第１のデータブロックの長さ、上記パイロットブロックの上記数、及び上記パイロットブロック内のパイロットシンボルの上記数を用いて、事前合意された式に従って上記第１のデータブロック内の上記パイロットブロックの上記位置を上記受信機によって計算して、上記１つ又は複数のパイロットブロックの上記位置に対応する位相雑音レベルを推定する段階か、又は、
上記パイロットブロック構成方式情報が上記パイロットブロックの上記数の上記オフセット値及び上記パイロットブロックに含まれるパイロットシンボルの上記数の上記オフセット値を含む場合、上記第１のデータブロックの長さ、上記パイロットブロックの上記数の上記オフセット値、上記パイロットブロックに含まれるパイロットシンボルの上記数の上記オフセット値、並びに前回受信されたパイロットブロック構成情報内にあるパイロットブロックの数及びパイロットブロックに含まれるパイロットシンボルの数を用いて、事前合意された式に従って上記第１のデータブロック内の上記パイロットブロックの上記位置を上記受信機によって計算して、上記１つ又は複数のパイロットブロックの上記位置に対応する位相雑音レベルを推定する段階を含む、項目１６に記載の方法。
（項目１８）
上記パイロットブロック構成情報を上記受信機によって確定する上記段階は、
上記送信機によって送信された上記パイロットブロック構成情報を上記受信機によって取得する段階か、又は、
上記第１のデータブロック内の事前設定されたシーケンス若しくは変調コンスタレーションダイアグラムに基づいて、上記パイロットブロック構成情報を上記受信機によって確定する段階を含む、項目１３に記載の方法。
（項目１９）
信号伝送装置であって、
複数のデータを含む送信予定のデータブロックを取得し、上記送信予定のデータブロックの上記複数のデータの間に１つ又は複数のパイロットブロックを合意位置に基づいて挿入するように構成された処理ユニットであって、上記パイロットブロックは少なくとも２つの連続したパイロットシンボルを含む、処理ユニットと、
上記１つ又は複数のパイロットブロックが上記処理ユニットによって挿入された上記送信予定のデータブロックを送信するように構成された送信ユニットと
を備える、装置。
（項目２０）
上記合意位置は、上記送信機及び受信機によって事前合意された位置であるか、又は、
上記合意位置は、上記送信予定のデータブロックの長さ、上記パイロットブロックの数、及び上記パイロットブロック内のパイロットシンボルの数を用いて、事前合意された式に従って上記送信機によって計算される、項目１９に記載の装置。
（項目２１）
信号伝送装置であって、
送信機によって送信されたデータブロックを受信するように構成された受信ユニットであって、上記受信されたデータブロックは１つ又は複数のパイロットブロックを含み、上記パイロットブロックは少なくとも２つの連続したパイロットシンボルを含む、受信ユニットと、
上記受信ユニットによって受信された上記データブロック内の上記１つ又は複数のパイロットブロックの位置を確定し、上記受信されたデータブロック内の上記１つ又は複数のパイロットブロックの上記位置に対応する位相雑音値を推定し、上記受信されたデータブロック内の上記１つ又は複数のパイロットブロックの上記位置に対応する上記位相雑音値に基づいて、上記受信されたデータブロックの複数のデータに対して位相雑音補償を行うように構成された処理ユニットと
を備える、装置。
（項目２２）
上記処理ユニットは具体的に、
上記受信されたデータブロック内の上記１つ又は複数のパイロットブロックの上記位置を上記送信機と合意した方式で確定するか、又は、
上記受信されたデータブロックの長さ、上記パイロットブロックの数、及び上記パイロットブロックに含まれるパイロットシンボルの数を用いて、事前合意された式に従って、上記受信されたデータブロック内の上記１つ又は複数のパイロットブロックの上記位置を計算する
ように構成される、項目２１に記載の装置。
（項目２３）
信号伝送装置であって、
パイロットブロック構成方式情報を含むパイロットブロック構成情報を確定し、上記パイロットブロック構成方式情報に基づいて、１つ又は複数のパイロットブロックを送信予定のデータブロックに挿入するように構成された処理ユニットと、
上記１つ又は複数のパイロットブロックが上記処理ユニットによって挿入された上記送信予定のデータブロックを送信するように構成された送信ユニットと
を備える、装置。
（項目２４）
上記処理ユニットは具体的に、
現在の期間に対応する雑音レベル情報を取得し、
上記雑音レベル情報に基づいて上記パイロットブロック構成情報を確定する
ように構成される、項目２３に記載の装置。
（項目２５）
受信ユニットをさらに備え、
上記受信ユニットは受信機によって送信された上記雑音レベル情報を受信するように構成されるか、又は、
上記受信ユニットは上記受信機によって送信されたデータブロックを受信するように構成され、上記処理ユニットはさらに、上記受信ユニットによって受信された上記データブロックに対して雑音レベル推定を行い、上記雑音レベル情報を確定するように構成される、項目２４に記載の装置。
（項目２６）
上記雑音レベル情報は加法性白色雑音情報及び乗法性位相雑音情報を含み、
上記処理ユニットは具体的に、
上記加法性白色雑音情報が前回取得された加法性白色雑音情報より多いか若しくは上記乗法性位相雑音情報が前回取得された乗法性位相雑音情報より少ない場合、上記送信予定のデータブロック内の各パイロットブロックに含まれるパイロットシンボルの数を増加させるか若しくは上記パイロットブロックの数を減少させる、又は、
上記加法性白色雑音情報が前回取得された加法性白色雑音情報より少ないか若しくは上記乗法性位相雑音情報が前回取得された乗法性位相雑音情報より多い場合、上記送信予定のデータブロック内の各パイロットブロックに含まれるパイロットシンボルの数を減少させるか若しくは上記パイロットブロックの数を増加させるように構成される、項目２４に記載の装置。
（項目２７）
上記送信ユニットはさらに、
上記雑音レベル情報が取得される前に、事前合意されたトレーニングシーケンスを上記受信機に送信するように構成され、その結果、上記受信機は事前合意された上記トレーニングシーケンスに基づいて雑音レベル推定を行う、項目２４に記載の装置。
（項目２８）
上記パイロットブロック構成方式情報は、上記パイロットブロック構成方式の番号、又は上記パイロットブロックの数及び上記パイロットブロックに含まれるパイロットシンボルの数、又は上記パイロットブロックの数のオフセット値及び上記パイロットブロックに含まれるパイロットシンボルの数のオフセット値を含む、項目２３に記載の装置。
（項目２９）
上記処理ユニットは具体的に、
上記送信予定のデータブロックの長さ、上記パイロットブロックの上記数、及び上記パイロットブロック内のパイロットシンボルの上記数を用いて、事前合意された式に従って、上記送信予定のデータブロック内の上記パイロットブロックの位置を計算するか、又は、上記送信予定のデータブロックの長さ、上記パイロットブロックの上記数の上記オフセット値、上記パイロットブロックに含まれるパイロットシンボルの上記数の上記オフセット値、並びに前回受信されたパイロットブロック構成情報内にあるパイロットブロックの数及びパイロットブロックに含まれるパイロットシンボルの数を用いて、事前合意された式に従って上記パイロットブロックの位置を計算し、
上記パイロットブロックの上記位置に基づいて上記１つ又は複数のパイロットブロックを上記送信予定のデータブロックに挿入する
ように構成される、項目２８に記載の装置。
（項目３０）
上記パイロットブロック構成情報が確定された後に、
上記送信ユニットはさらに、上記パイロットブロック構成情報を上記受信機に送信するように構成されるか、又は、
上記処理ユニットはさらに、上記パイロットブロック構成情報に基づいて、事前設定されたシーケンス若しくは変調コンスタレーションダイアグラムに上記パイロットブロックを設定するように構成される、項目２３に記載の装置。
（項目３１）
信号伝送装置であって、
送信機によって送信された第１のデータブロックを受信するように構成された受信ユニットと、
パイロットブロック構成方式情報を含むパイロットブロック構成情報を確定し、上記パイロットブロック構成方式情報に基づいて、上記第１のデータブロック内の１つ又は複数のパイロットブロックの位置に対応する位相雑音値を推定し、上記第１のデータブロック内の上記１つ又は複数のパイロットブロックの上記位置に対応する上記位相雑音値に基づいて、上記第１のデータブロックの複数のデータに対して位相雑音補償を行うように構成された処理ユニットと
を備える、装置。
（項目３２）
送信ユニットをさらに備え、
上記送信機によって送信された上記第１のデータブロックと上記第１のデータブロック内の上記パイロットブロック構成情報とを受信する前に、上記受信ユニットはさらに、上記送信機によって送信された第２のデータブロックを受信するように構成され、
上記処理ユニットはさらに、上記第２のデータブロックに対して復調及び雑音レベル推定を行い、上記第２のデータブロックの雑音レベル情報を取得するように構成され、
上記送信ユニットは上記雑音レベル情報を上記送信機に送信するように構成される、項目３１に記載の装置。
（項目３３）
上記処理ユニットは具体的に、
上記第２のデータブロックが事前合意されたトレーニングシーケンスである場合、上記受信された第２のデータブロックを用いて上記雑音レベル推定を行うか、又は、
上記第２のデータブロックが未知のデータである場合、軟判定復号又は硬判定復号の後に再構築される送信予定のデータブロックと上記第２のデータブロックとに基づいて、上記第２のデータブロックに対して上記雑音レベル推定を行う
ように構成される、項目３２に記載の装置。
（項目３４）
上記パイロットブロック構成方式情報は、上記パイロットブロック構成方式の番号、又は上記パイロットブロックの数及び上記パイロットブロックに含まれるパイロットシンボルの数、又は上記パイロットブロックの数のオフセット値及び上記パイロットブロックに含まれるパイロットシンボルの数のオフセット値を含む、項目３１に記載の装置。
（項目３５）
上記処理ユニットは具体的に、
上記パイロットブロック構成方式情報が上記パイロットブロックの上記数と上記パイロットブロックに含まれるパイロットシンボルの上記数とを含む場合、上記第１のデータブロックの長さ、上記パイロットブロックの上記数、及び上記パイロットブロック内のパイロットシンボルの上記数を用いて、事前合意された式に従って上記第１のデータブロック内の上記パイロットブロックの上記位置を計算し、上記１つ又は複数のパイロットブロックの上記位置に対応する位相雑音レベルを推定するか、又は、
上記パイロットブロック構成方式情報が上記パイロットブロックの上記数の上記オフセット値と上記パイロットブロックに含まれるパイロットシンボルの上記数の上記オフセット値とを含む場合、上記第１のデータブロックの長さ、上記パイロットブロックの上記数の上記オフセット値、上記パイロットブロックに含まれるパイロットシンボルの上記数の上記オフセット値、並びに前回受信されたパイロットブロック構成情報内にあるパイロットブロックの数及びパイロットブロックに含まれるパイロットシンボルの数を用いて、事前合意された式に従って上記第１のデータブロック内の上記パイロットブロックの上記位置を計算し、上記１つ又は複数のパイロットブロックの上記位置に対応する位相雑音レベルを推定する
ように構成される、項目３４に記載の装置。
（項目３６）
上記処理ユニットは具体的に、
上記送信機によって送信された上記パイロットブロック構成情報を取得するか、又は、
上記第１のデータブロック内の事前設定されたシーケンス若しくは変調コンスタレーションダイアグラムに基づいて、上記パイロットブロック構成情報を確定する
ように構成される、項目３１に記載の装置。
（項目３７）
送受信機とプロセッサとを備える信号伝送装置であって、
上記送受信機は送信予定のデータブロックを取得するように構成され、上記送信予定のデータブロックは複数のデータを含み、
上記プロセッサは、上記送受信機によって取得された上記送信予定のデータブロックの上記複数のデータの間に１つ又は複数のパイロットブロックを合意位置に基づいて挿入するように構成され、上記パイロットブロックは少なくとも２つの連続したパイロットシンボルを含み、
上記送受信機はさらに、上記１つ又は複数のパイロットブロックが挿入された上記送信予定のデータブロックを送信するように構成される、装置。
（項目３８）
上記合意位置は、送信機及び受信機によって事前合意された位置であるか、又は、
上記合意位置は、上記送信予定のデータブロックの長さ、上記パイロットブロックの数、及び上記パイロットブロック内のパイロットシンボルの数を用いて、事前合意された式に従って送信機によって計算される、項目３７に記載の装置。
（項目３９）
送受信機とプロセッサとを備える信号伝送装置であって、
上記送受信機は送信機によって送信されたデータブロックを受信するように構成され、上記受信されたデータブロックは１つ又は複数のパイロットブロックを含み、上記パイロットブロックは少なくとも２つの連続したパイロットシンボルを含み、
上記プロセッサは、上記受信ユニットによって受信された上記データブロック内の上記１つ又は複数のパイロットブロックの位置を確定し、上記受信されたデータブロック内の上記１つ又は複数のパイロットブロックの上記位置に対応する位相雑音値を推定し、上記受信されたデータブロック内の上記１つ又は複数のパイロットブロックの上記位置に対応する上記位相雑音値に基づいて、上記受信されたデータブロックの複数のデータに対して位相雑音補償を行うように構成される、装置。
（項目４０）
上記プロセッサは具体的に、
上記受信されたデータブロック内の上記１つ又は複数のパイロットブロックの上記位置を上記送信機と合意した方式で確定するか、又は、
上記受信されたデータブロックの長さ、上記パイロットブロックの数、及び上記パイロットブロックに含まれるパイロットシンボルの数を用いて、事前合意された式に従って、上記受信されたデータブロック内の上記１つ又は複数のパイロットブロックの上記位置を計算する
ように構成される、項目３９に記載の装置。
（項目４１）
送受信機とプロセッサとを備える信号伝送装置であって、
上記プロセッサは、パイロットブロック構成方式情報を含むパイロットブロック構成情報を確定し、上記パイロットブロック構成方式情報に基づいて、１つ又は複数のパイロットブロックを送信予定のデータブロックに挿入するように構成され、
上記送受信機は、上記１つ又は複数のパイロットブロックが挿入された上記送信予定のデータブロックを送信するように構成される、装置。
（項目４２）
上記プロセッサは具体的に、
上記送受信機を制御して現在の期間に対応する雑音レベル情報を取得し、
上記雑音レベル情報に基づいて上記パイロットブロック構成情報を確定する
ように構成される、項目４１に記載の装置。
（項目４３）
上記プロセッサはさらに、
上記送受信機を制御して、受信機によって送信された上記雑音レベル情報を受信するか、又は、
上記送受信機を制御して上記受信機によって送信されたデータブロックを受信し、上記送受信機によって受信された上記データブロックに対して雑音レベル推定を行い、上記雑音レベル情報を確定する
ように構成される、項目４２に記載の装置。
（項目４４）
上記雑音レベル情報は加法性白色雑音情報及び乗法性位相雑音情報を含み、
上記プロセッサは具体的に、
上記加法性白色雑音情報が前回取得された加法性白色雑音情報より多いか若しくは上記乗法性位相雑音情報が前回取得された乗法性位相雑音情報より少ない場合、上記送信予定のデータブロック内の各パイロットブロックに含まれるパイロットシンボルの数を増加させるか若しくは上記パイロットブロックの数を減少させる、又は、
上記加法性白色雑音情報が前回取得された加法性白色雑音情報より少ないか若しくは上記乗法性位相雑音情報が前回取得された乗法性位相雑音情報より多い場合、上記送信予定のデータブロック内の各パイロットブロックに含まれるパイロットシンボルの数を減少させるか若しくは上記パイロットブロックの数を増加させるように構成される、項目４２に記載の装置。
（項目４５）
上記送受信機はさらに、
上記雑音レベル情報が取得される前に、事前合意されたトレーニングシーケンスを上記受信機に送信するように構成され、その結果、上記受信機は事前合意された上記トレーニングシーケンスに基づいて雑音レベル推定を行う、項目４２に記載の装置。
（項目４６）
上記パイロットブロック構成方式情報は、上記パイロットブロック構成方式の番号、又は上記パイロットブロックの数及び上記パイロットブロックに含まれるパイロットシンボルの数、又は上記パイロットブロックの数のオフセット値及び上記パイロットブロックに含まれるパイロットシンボルの数のオフセット値を含む、項目４１に記載の装置。
（項目４７）
上記プロセッサは具体的に、
上記送信予定のデータブロックの長さ、上記パイロットブロックの上記数、及び上記パイロットブロック内のパイロットシンボルの上記数を用いて、事前合意された式に従って、上記送信予定のデータブロック内の上記パイロットブロックの位置を計算するか、又は、上記送信予定のデータブロックの長さ、上記パイロットブロックの上記数の上記オフセット値、上記パイロットブロックに含まれるパイロットシンボルの上記数の上記オフセット値、並びに前回受信されたパイロットブロック構成情報内にあるパイロットブロックの数及びパイロットブロックに含まれるパイロットシンボルの数を用いて、事前合意された式に従って上記パイロットブロックの位置を計算し、
上記パイロットブロックの上記位置に基づいて上記１つ又は複数のパイロットブロックを上記送信予定のデータブロックに挿入する
ように構成される、項目４６に記載の装置。
（項目４８）
上記プロセッサはさらに、
上記パイロットブロック構成情報を確定した後に、上記送受信機を制御して上記パイロットブロック構成情報を上記受信機に送信するか、又は、
上記パイロットブロック構成情報に基づいて、事前設定されたシーケンス若しくは変調コンスタレーションダイアグラムに上記パイロットブロックを設定する
ように構成される、項目４１に記載の装置。
（項目４９）
送受信機とプロセッサとを備える信号伝送装置であって、
上記送受信機は、送信機によって送信された第１のデータブロックを受信するように構成され、
上記プロセッサは、パイロットブロック構成方式情報を含むパイロットブロック構成情報を確定し、上記パイロットブロック構成方式情報に基づいて、上記第１のデータブロック内の１つ又は複数のパイロットブロックの位置に対応する位相雑音値を推定し、上記第１のデータブロック内の上記１つ又は複数のパイロットブロックの上記位置に対応する上記位相雑音値に基づいて、上記第１のデータブロックの複数のデータに対して位相雑音補償を行うように構成される、装置。
（項目５０）
上記プロセッサはさらに、
上記送受信機を制御して、上記送信機によって送信された上記第１のデータブロックと上記第１のデータブロック内の上記パイロットブロック構成情報とを受信する前に、上記送信機によって送信された第２のデータブロックを受信し、
上記第２のデータブロックに対して復調及び雑音レベル推定を行い、上記第２のデータブロックの雑音レベル情報を取得し、
上記送受信機を制御して上記雑音レベル情報を上記送信機に送信する
ように構成される、項目４９に記載の装置。
（項目５１）
上記プロセッサは具体的に、
上記第２のデータブロックが事前合意されたトレーニングシーケンスである場合、上記受信された第２のデータブロックを用いて上記雑音レベル推定を行うか、又は、
上記第２のデータブロックが未知のデータである場合、軟判定復号又は硬判定復号の後に再構築される送信予定のデータブロックと上記第２のデータブロックとに基づいて、上記第２のデータブロックに対して上記雑音レベル推定を行う
ように構成される、項目５０に記載の装置。
（項目５２）
上記パイロットブロック構成方式情報は、上記パイロットブロック構成方式の番号、又は上記パイロットブロックの数及び上記パイロットブロックに含まれるパイロットシンボルの数、又は上記パイロットブロックの数のオフセット値及び上記パイロットブロックに含まれるパイロットシンボルの数のオフセット値を含む、項目４９に記載の装置。
（項目５３）
上記プロセッサは具体的に、
上記パイロットブロック構成方式情報が上記パイロットブロックの上記数と上記パイロットブロックに含まれるパイロットシンボルの上記数とを含む場合、上記第１のデータブロックの長さ、上記パイロットブロックの上記数、及び上記パイロットブロック内のパイロットシンボルの上記数を用いて、事前合意された式に従って上記第１のデータブロック内の上記パイロットブロックの上記位置を計算し、上記１つ又は複数のパイロットブロックの上記位置に対応する位相雑音レベルを推定するか、又は、
上記パイロットブロック構成方式情報が上記パイロットブロックの上記数の上記オフセット値と上記パイロットブロックに含まれるパイロットシンボルの上記数の上記オフセット値とを含む場合、上記第１のデータブロックの長さ、上記パイロットブロックの上記数の上記オフセット値、上記パイロットブロックに含まれるパイロットシンボルの上記数の上記オフセット値、並びに前回受信されたパイロットブロック構成情報内にあるパイロットブロックの数及びパイロットブロックに含まれるパイロットシンボルの数を用いて、事前合意された式に従って上記第１のデータブロック内の上記パイロットブロックの上記位置を計算し、上記１つ又は複数のパイロットブロックの上記位置に対応する位相雑音レベルを推定する
ように構成される、項目５２に記載の装置。
（項目５４）
上記プロセッサは具体的に、
上記送受信機を制御して、上記送信機によって送信された上記パイロットブロック構成情報を取得するか、又は、
上記第１のデータブロック内の事前設定されたシーケンス若しくは変調コンスタレーションダイアグラムに基づいて、上記パイロットブロック構成情報を確定する
ように構成される、項目４９に記載の装置。
【国際調査報告】
2019523585.tif 000029
2019523585.tif 000030
2019523585.tif 000031
2019523585.tif 000032